(57)【特許請求の範囲】
【請求項１】
ネットワークを介して画像形成装置の使用電力を監視する電力監視装置を備えた電力監視システムにおいて、
前記画像形成装置に、
通常状態より消費電力の低い省エネモードと、
前記画像形成装置が一定時間以上使用されないと前記省エネモードに移行する省エネモード移行時間と、
前記省エネモードを解除する省エネモード解除手段と、
を設け、
前記電力監視装置に、
前記画像形成装置の使用状況を一定期間監視する監視手段と、
前記監視手段による監視結果を記憶する記憶手段と、
前記記憶手段に記憶された前記監視結果に基づいて、前記一定期間の消費電力量を算出する消費電力算出手段と、
前記省エネモード移行時間を仮設定するための仮省エネモード移行時間を設定する仮省エネモード移行時間設定手段と、
前記仮省エネモード移行時間設定手段が設定した前記仮省エネモード移行時間と、前記記憶手段に記憶された前記監視結果の内容とに基づき、仮想消費電力を算出する仮消費電力算出手段と、
前記消費電力算出手段の算出結果と、前記仮消費電力算出手段の算出結果とを比較する比較手段と、
を備え、
前記比較手段による比較の結果、前記消費電力算出手段の算出結果よりも、前記仮消費電力算出手段の算出結果の方が消費電力が低い場合に、前記仮省エネモード移行時間設定手段が設定した前記仮省エネモード移行時間を、前記画像形成装置の省エネモード移行時間として自動設定することを特徴とする画像形成装置の電力監視システム。
【請求項２】
前記監視手段は、前記画像形成装置の画像形成動作パターン、復帰時間、コピー動作時間、省エネモード移行時間、省エネモードであった省エネモード時間を一定期間監視することを特徴とする請求項１に記載の画像形成装置の電力監視システム。
【請求項３】
前記記憶手段は、前記消費電力算出手段が算出した前記一定期間の消費電力量と、前記仮消費電力算出手段が算出した仮想消費電力と、前記画像形成装置に設けられた省エネモード移行時間と、前記仮省エネモード移行時間設定手段が設定した仮省エネモード移行時間と、を記憶し、
前記記憶手段に記憶されている前記一定期間の消費電力、前記仮想消費電力、前記一定期間の省エネモード移行時間、または前記仮省エネモード移行時間の、すべてまたは何れかを表示する表示手段を備えたことを特徴とする請求項１または請求項２に記載の画像形成装置の電力監視システム。
【請求項４】
前記省エネモード移行時間または前記仮省エネモード移行時間の双方または何れかの入力を受け付ける入力手段を備えたことを特徴とする請求項１、請求項２または請求項３に記載の画像形成装置の電力監視システム。
【請求項５】
前記仮省エネモード移行時間の入力を受け付ける入力手段と、
前記入力手段で受け付けた仮省エネモード移行時間に基づき消費電力を算出するシミュレーション手段と、
前記シミュレーション手段によるシミュレーション結果を表示するシミュレーション結果表示手段と、
を備えたことを特徴とする請求項１、請求項２または請求項３に記載の画像形成装置の電力監視システム。
【請求項６】
前記シミュレーション手段がシミュレーションした消費電力の省エネモード移行時間を、前記画像形成装置の新たな省エネモード移行時間として設定することを特徴とする請求項５記載の画像形成装置の電力監視システム。
【請求項７】
現状の前記一定期間の消費電量と、前記仮想消費電力と、に基づいて、前記省エネモード移行時間を特定間隔で自動的に再設定する省エネモード移行時間再設定手段を備えたことを特徴とする請求項１から請求項６の何れか１項に記載の画像形成装置の電力監視システム。
【請求項８】
前記省エネモード移行時間再設定手段により省エネモード移行時間を再設定した状態の消費電力測定を一定期間行い、省エネモード移行時間を再設定する前の消費電力と、前記一定期間の消費電力量と、を表示する表示手段を備えたことを特徴とする請求項７に記載の画像形成装置の電力監視システム。
【請求項９】
使いやすさ優先か、または電力消費量削減優先かの選択を受け付ける選択手段を備えたことを特徴とする請求項１から請求項８の何れか１項に記載の画像形成装置の電力監視システム。
【請求項１０】
前記消費電力算出手段により算出された消費電力に対応する電気料金と、前記仮消費電力算出手段により算出された消費電力に対応する電気料金との、双方または何れかを表示する料金表示手段を備えたことを特徴とする請求項１から請求項９の何れか１項に記載の画像形成装置の電力監視システム。
【請求項１１】
前記消費電力算出手段により算出された消費電力、前記仮消費電力算出手段により算出された消費電力の、双方または何れかを前記画像形成装置に送信する消費電力送信手段を備えたことを特徴とする請求項１から請求項１０の何れか１項に記載の画像形成装置の電力監視システム。
【請求項１２】
省エネモード移行時間の変更を行う旨の通知または変更を行う省エネモード移行時間の双方または何れかを送信する送信手段を備えたことを特徴とする請求項１から請求項１１の何れか１項に記載の画像形成装置の電力監視システム。
【請求項１３】
省エネモード移行時間の見直しの指示を前記画像形成装置から受領する指示手段と、
この指示手段が受領した指示に対応して省エネモード移行時間を変更した結果を前記画像形成装置に送信する結果送信手段と、
を備えたことを特徴とする請求項１から請求項１２の何れか１項に記載の画像形成装置の電力監視システム。
【請求項１４】
前記画像形成装置に送信された消費電力または省エネモード移行時間の双方または何れかを表示する表示手段を備えたことを特徴とする請求項１１、請求項１２または請求項１３に記載の画像形成装置の電力監視システム。
【請求項１５】
ネットワークを介して画像形成装置の使用電力を監視する電力監視装置を備え、前記画像形成装置に通常状態より消費電力の低い省エネモードと、前記画像形成装置が一定時間以上使用されないと前記省エネモードに移行する省エネモード移行時間が設定されている画像形成装置の電力監視システムの制御方法において、
前記画像形成装置の画像形成動作パターンと、復帰時間、コピー動作時間、省エネモード移行時間、省エネモード時間を一定期間監視する第１のステップと、
前記第１のステップで監視した結果を記憶する第２のステップと、
前記第２のステップで記憶した監視結果に基づき前記一定期間の消費電力を算出する第３のステップと、
前記省エネモード移行時間を仮設定する第４のステップと、
前記第４のステップで仮設定された省エネモード移行時間に対応し、第２のステップで記憶した監視結果に基づき動作時間を計測する第５のステップと、
前記第５のステップで計測された動作時間により仮想消費電力を算出する第６のステップと、
前記第３のステップの算出結果と、前記第６のステップの算出結果とを比較する第７のステップと、
前記第７のステップによる比較の結果、前記第３のステップの算出結果よりも、前記第６のステップの算出結果の方が消費電力が低い場合に、前記第４のステップが仮設定した省エネモード移行時間を、前記画像形成装置の省エネモード移行時間として自動設定する第８のステップと、を有することを特徴とする画像形成装置の電力監視システムの制御方法。
【請求項１６】
通常状態より消費電力の低い省エネモードを備え、一定時間以上使用されないと前記省エネモードに移行する省エネモード移行時間と、前記省エネモードを解除する省エネモード解除手段を設けた画像形成装置において、
前記画像形成装置の使用状況を一定期間監視する監視手段と、
前記監視手段による監視結果を記憶する記憶手段と、
前記記憶手段に記憶された前記監視結果に基づいて、前記一定期間の消費電力量を算出する消費電力算出手段と、
前記省エネモード移行時間を仮設定するための仮省エネモード移行時間を設定する仮省エネモード移行時間設定手段と、
前記仮省エネモード移行時間設定手段が設定した前記仮省エネモード移行時間と、前記記憶手段に記憶された前記監視結果の内容とに基づき、仮想消費電力を算出する仮消費電力算出手段と、
前記消費電力算出手段の算出結果と、前記仮消費電力算出手段の算出結果とを比較する比較手段と、
前記比較手段による比較の結果、前記消費電力算出手段の算出結果よりも、前記仮消費電力算出手段の算出結果の方が消費電力が低い場合に、前記仮省エネモード移行時間設定手段が設定した前記仮省エネモード移行時間を前記省エネモード移行時間として自動設定することを特徴とする画像形成装置。
【請求項１７】
前記監視手段は、前記画像形成装置の画像形成動作パターン、復帰時間、コピー動作時間、省エネモード移行時間、省エネモードであった省エネモード時間を一定期間監視することを特徴とする請求項１６に記載の画像形成装置。
【請求項１８】
現状の前記一定期間の消費電力量と、前記仮想消費電力と、に基づいて、前記省エネモード移行時間を特定間隔で自動的に再設定する省エネモード移行時間再設定手段を備えたことを特徴とする請求項１６または請求項１７に記載の画像形成装置。
【請求項１９】
前記省エネモード移行時間の再設定を受け付ける動作指示キーを備えたことを特徴とする請求項１６または請求項１７に記載の画像形成装置。
【請求項２０】
前記省エネモード移行時間または前記仮省エネモード移行時間の双方または何れかの入力を受け付ける入力手段を備えたことを特徴とする請求項１６、請求項１７、または請求項１８に記載の画像形成装置。
【請求項２１】
前記仮省エネモード移行時間の入力を受け付ける入力手段と、
前記入力手段で受け付けた仮省エネモード移行時間に基づき消費電力を算出するシミュレーション手段と、
前記シミュレーション手段によるシミュレーション結果を表示するシミュレーション結果表示手段と、
を備えたことを特徴とする請求項１６から請求項１９の何れか１項に記載の画像形成装置。
【請求項２２】
前記シミュレーション手段がシミュレーションした消費電力の省エネモード移行時間を前記画像形成装置の新たな省エネモード移行時間として設定することを特徴とする請求項２１記載の画像形成装置。
【請求項２３】
前記記憶手段に記憶されている一定期間の消費電力、仮想消費電力、一定期間の省エネモード移行時間または仮設定された省エネモード移行時間のすべてまたは何れかを表示する表示手段を備えたことを特徴とする請求項１６から請求項２２の何れか１項に記載の画像形成装置。
【請求項２４】
前記省エネモード移行時間再設定手段により省エネモード移行時間を再設定した状態の消費電力測定を一定期間行い、省エネモード移行時間を再設定する前の消費電力と、この一定期間の消費電力とを表示する表示手段を備えたことを特徴とする請求項１６から請求項２３の何れか１項に記載の画像形成装置。
【請求項２５】
使いやすさ優先か、または電力消費量削減優先かの選択を受け付ける選択手段を備えたことを特徴とする請求項１６から請求項２４の何れか１項に記載の画像形成装置。
【請求項２６】
前記消費電力算出手段により算出された消費電力に対応する電気料金と、前記仮消費電力算出手段により算出された消費電力に対応する電気料金とを双方または何れかを表示する料金表示手段を備えたことを特徴とする請求項１６から請求項２５の何れか１項に記載の画像形成装置。
【請求項２７】
通常状態より消費電力の低い省エネモードを備え、一定時間以上使用されないと前記省エネモードに移行する省エネモード移行時間と、前記省エネモードを解除する省エネモード解除手段を設けた画像形成装置の制御方法において、
画像形成動作パターンと、復帰時間、コピー動作時間、省エネモード移行時間、省エネモード時間を一定期間監視する第１のステップと、
前記第１のステップで監視した結果を記憶する第２のステップと、
前記第２のステップで記憶した監視結果に基づき前記一定期間の消費電力を算出する第３のステップと、
前記省エネモード移行時間を仮設定する第４のステップと、
前記第４のステップで仮設定された省エネモード移行時間に対応し、第２のステップで記憶した監視結果に基づき動作時間を計測する第５のステップと、
前記第５のステップで計測された動作時間により仮想消費電力を算出する第６のステップと、
前記第３のステップの算出結果と、前記第６のステップの算出結果とを比較する第７のステップと、
前記第７のステップによる比較の結果、前記第３のステップの算出結果よりも、前記第６のステップの算出結果の方が消費電力が低い場合に、前記第４のステップが仮設定した省エネモード移行時間を前記省エネモード移行時間として自動設定する第８のステップと、
を有することを特徴とする画像形成装置の制御方法。
【発明の詳細な説明】
【技術分野】
【０００１】
本発明は省エネモードを有した画像形成装置がネットワークを介して電力監視装置に接続され、消費電力削減を目的に省エネモード移行時間の最適化を図る電力を監視するシステム及び画像形成装置に関する。
【背景技術】
【０００２】
現在、電力は資源を消費する形態で生産（発電）されており、電力消費の増大は地球環境の破壊に繋がるため、このような電気製品全般に消費電力を低減させることが求められるのが世界的傾向である。そこで、各国で省エネに関連する規制や基準が設けられており、我が国では省エネ法、米国ではエネルギースターがあるが、この規制も改定され基準が厳しくなってきている。
一方、ユーザー側も環境に対する意識の向上及び電気代の削減という観点から、カタログや宣伝における消費電力やエネルギー効率を重視して購入製品を決定する場合も増えている。このようなことから、画像形成装置が一定時間以上使用されないと、通常の消費電力よりも電力低減した省エネモードに移行する画像形成装置が多く製造／販売されている。
しかし、このような画像形成装置は消費電力を削減する目的で、省エネモードに移行する時間を短縮すると、使用した時に画像形成装置の定着装置温度が低下しており、コピー待ち時間が長くなる。また使いやすさを考慮し省エネモードに移行する時間を長くすると消費電力の増大に繋がる。
このような問題を解決するために、画像形成装置に関する先行技術には、次のような特許文献が開示されている。
【特許文献１】特開２００４−２６８５２９公報
【０００３】
特許文献１には、印刷装置の使用状況に関するデータを保持し、その印刷装置の使用状況に関するデータをもとに印刷装置が使用されている環境に適した省電力モードへの移行時間を幾つかの選択肢の中から学習し、その使用状況毎に最適な省電力モードへの移行時間を選択する印刷制御方式が開示されている。
【特許文献２】特開２００４−１０１９１９公報
【０００４】
特許文献２には、省エネモードに入るまでの適正な待機時間を画像形成装置の置かれた事業所やオフィスの環境に応じて、さらにユーザーの使用状況に合わせて自動的に決定するために、待機状態から省エネモードへ移行するまでの時間及び省エネモードから待機状態に移行するまでの時間を計測し、曜日及び時刻を認識する時計手段を備え、画像形成装置の使用頻度の高い時間帯においては省エネモードへの移行時間を長く設定し、使用頻度の低い時間帯においては省エネモードに移行時間を短く設定する画像形成装置が開示されている。
【特許文献３】特開２００３−３０７９８０公報
【０００５】
特許文献３には、一定期間の画像読取部と画像形成部の使用頻度を計測し、該計測された使用頻度において画像読取部と画像形成部の少なくとも一方の通常モードから省電力モードに移行する時間を変更することが、開示されている。
【発明の開示】
【発明が解決しようとする課題】
【０００６】
ところで、先行技術は省エネモードへの移行時間を使用状況（使用頻度）に応じて変化させることにより、省電力化を図っている。
しかしながら、この省エネモードへの移行時間を変えることにより、どの程度消費電力が削減されたかまたは増加したかを知ることは、上記特許文献１、特許文献２及び、特許文献３では、考慮されていない。また、画像形成装置の省電力化を考えた場合は、省エネモードへ移行する時間と、使用頻度の関係だけではない。
前記したようにＯＡ機器の電力削減が求められており、省エネモード状態の場合には定着装置の加熱部の電力供給を停止している。従って省エネモードが解除され画像形成動作が可能になるまでの、いわゆるウォームアップ時の消費電力は、非常に大きくなるという現実がある。
よって、省エネモードを解除して１枚コピーした場合の、１枚当たりの消費電力と、省エネモードを解除して数十枚コピーした場合の、１枚当たりの消費電力は大きく異なる。
例として、１分間に３５枚のコピー出力が可能な画像形成装置だと、省エネモードを解除して１枚コピーした場合の、１枚当たりの消費電力は、６．４Ｗ／枚であり、同一機で省エネモードを解除して３０枚コピーした場合の、１枚当たりの消費電力０．３６Ｗ／枚となる。従って、少ないコピー枚数出力を、省エネモード解除後に多く実施すると消費電力は増大してしまうことになる。
【０００７】
そこで、本発明の目的は、現状の画像形成動作の一定期間の消費電力と、省エネモード移行時間を変えた時の消費電力との比較を行い、消費電力が少ない省エネモード移行時間を画像形成装置の省エネモード移行時間に設定することにより、消費電力削減を可能にした画像形成装置の電力監視システムを提供すると共に、削減出来る消費電力を可視化し、電力削減を効果的に促すことができる画像形成装置及び画像形成装置の電力監視システムを提供することである。
【課題を解決するための手段】
【０００８】
請求項１記載の発明では、ネットワークを介して画像形成装置の使用電力を監視する電力監視装置を備えた電力監視システムにおいて、前記画像形成装置に、通常状態より消費電力の低い省エネモードと、前記画像形成装置が一定時間以上使用されないと前記省エネモードに移行する省エネモード移行時間と、前記省エネモードを解除する省エネモード解除手段と、を設け、前記電力監視装置に、前記画像形成装置の使用状況を一定期間監視する監視手段と、前記監視手段による監視結果を記憶する記憶手段と、前記記憶手段に記憶された前記監視結果に基づいて、前記一定期間の消費電力量を算出する消費電力算出手段と、前記省エネモード移行時間を仮設定するための仮省エネモード移行時間を設定する仮省エネモード移行時間設定手段と、前記仮省エネモード移行時間設定手段が設定した前記仮省エネモード移行時間と、前記記憶手段に記憶された前記監視結果の内容とに基づき、仮想消費電力を算出する仮消費電力算出手段と、前記消費電力算出手段の算出結果と、前記仮消費電力算出手段の算出結果とを比較する比較手段と、を備え、前記比較手段による比較の結果、前記消費電力算出手段の算出結果よりも、前記仮消費電力算出手段の算出結果の方が消費電力が低い場合に、前記仮省エネモード移行時間設定手段が設定した前記仮省エネモード移行時間を、前記画像形成装置の省エネモード移行時間として自動設定することを特徴とする画像形成装置の電力監視システムを提供する。
請求項２記載の発明では、前記監視手段は、前記画像形成装置の画像形成動作パターン、復帰時間、コピー動作時間、省エネモード移行時間、省エネモードであった省エネモード時間を一定期間監視することを特徴とする請求項１に記載の画像形成装置の電力監視システムを提供する。
【０００９】
請求項３記載の発明では、前記記憶手段は、前記消費電力算出手段が算出した前記一定期間の消費電力量と、前記仮消費電力算出手段が算出した仮想消費電力と、前記画像形成装置に設けられた省エネモード移行時間と、前記仮省エネモード移行時間設定手段が設定した仮省エネモード移行時間と、を記憶し、前記記憶手段に記憶されている前記一定期間の消費電力、前記仮想消費電力、前記一定期間の省エネモード移行時間、または前記仮省エネモード移行時間の、すべてまたは何れかを表示する表示手段を備えたことを特徴とする請求項１または請求項２に記載の画像形成装置の電力監視システムを提供する。
請求項４記載の発明では、前記省エネモード移行時間または前記仮省エネモード移行時間の双方または何れかの入力を受け付ける入力手段を備えたことを特徴とする請求項１、請求項２または請求項３に記載の画像形成装置の電力監視システムを提供する。
請求項５記載の発明では、前記仮省エネモード移行時間の入力を受け付ける入力手段と、前記入力手段で受け付けた仮省エネモード移行時間に基づき消費電力を算出するシミュレーション手段と、前記シミュレーション手段によるシミュレーション結果を表示するシミュレーション結果表示手段と、を備えたことを特徴とする請求項１、請求項２または請求項３に記載の画像形成装置の電力監視システムを提供する。
請求項６記載の発明では、前記シミュレーション手段がシミュレーションした消費電力の省エネモード移行時間を、前記画像形成装置の新たな省エネモード移行時間として設定することを特徴とする請求項５記載の画像形成装置の電力監視システムを提供する。
請求項７記載の発明では、現状の前記一定期間の消費電力量と、前記仮想消費電力と、に基づいて、前記省エネモード移行時間を特定間隔で自動的に再設定する省エネモード移行時間再設定手段を備えたことを特徴とする請求項１から請求項６の何れか１項に記載の画像形成装置の電力監視システムを提供する。
【００１０】
請求項８記載の発明では、前記省エネモード移行時間再設定手段により省エネモード移行時間を再設定した状態の消費電力測定を一定期間行い、省エネモード移行時間を再設定する前の消費電力と、前記一定期間の消費電力量と、を表示する表示手段を備えたことを特徴とする請求項７に記載の画像形成装置の電力監視システムを提供する。
請求項９記載の発明では、使いやすさ優先か、または電力消費量削減優先かの選択を受け付ける選択手段を備えたことを特徴とする請求項１から請求項８の何れか１項に記載の画像形成装置の電力監視システムを提供する。
請求項１０記載の発明では、前記消費電力算出手段により算出された消費電力に対応する電気料金と、前記仮消費電力算出手段により算出された消費電力に対応する電気料金との、双方または何れかを表示する料金表示手段を備えたことを特徴とする請求項１から請求項９の何れか１項に記載の画像形成装置の電力監視システムを提供する。
請求項１１記載の発明では、前記消費電力算出手段により算出された消費電力、前記仮消費電力算出手段により算出された消費電力の、双方または何れかを前記画像形成装置に送信する消費電力送信手段を備えたことを特徴とする請求項１から請求項１０の何れか１項に記載の画像形成装置の電力監視システムを提供する。
請求項１２記載の発明では、省エネモード移行時間の変更を行う旨の通知または変更を行う省エネモード移行時間の双方または何れかを送信する送信手段を備えたことを特徴とする請求項１から請求項１１の何れか１項に記載の画像形成装置の電力監視システムを提供する。
請求項１３記載の発明では、省エネモード移行時間の見直しの指示を前記画像形成装置から受領する指示手段と、この指示手段が受領した指示に対応して省エネモード移行時間を変更した結果を前記画像形成装置に送信する結果送信手段と、を備えたことを特徴とする請求項１から請求項１２の何れか１項に記載の画像形成装置の電力監視システムを提供する。
請求項１４記載の発明では、前記画像形成装置に送信された消費電力または省エネモード移行時間の双方または何れかを表示する表示手段を備えたことを特徴とする請求項１１、請求項１２または請求項１３に記載の画像形成装置の電力監視システムを提供する。
請求項１５記載の発明では、ネットワークを介して画像形成装置の使用電力を監視する電力監視装置を備え、前記画像形成装置に通常状態より消費電力の低い省エネモードと、前記画像形成装置が一定時間以上使用されないと前記省エネモードに移行する省エネモード移行時間が設定されている画像形成装置の電力監視システムの制御方法において、前記画像形成装置の画像形成動作パターンと、復帰時間、コピー動作時間、省エネモード移行時間、省エネモード時間を一定期間監視する第１のステップと、前記第１のステップで監視した結果を記憶する第２のステップと、前記第２のステップで記憶した監視結果に基づき前記一定期間の消費電力を算出する第３のステップと、前記省エネモード移行時間を仮設定する第４のステップと、前記第４のステップで仮設定された省エネモード移行時間に対応し、第２のステップで記憶した監視結果に基づき動作時間を計測する第５のステップと、前記第５のステップで計測された動作時間により仮想消費電力を算出する第６のステップと、前記第３のステップの算出結果と、前記第６のステップの算出結果とを比較する第７のステップと、前記第７のステップによる比較の結果、前記第３のステップの算出結果よりも、前記第６のステップの算出結果の方が消費電力が低い場合に、前記第４のステップが仮設定した省エネモード移行時間を、前記画像形成装置の省エネモード移行時間として自動設定する第８のステップと、を有することを特徴とする画像形成装置の電力監視システムの制御方法を提供する。
【００１１】
請求項１６記載の発明では、通常状態より消費電力の低い省エネモードを備え、一定時間以上使用されないと前記省エネモードに移行する省エネモード移行時間と、前記省エネモードを解除する省エネモード解除手段を設けた画像形成装置において、前記画像形成装置の使用状況を一定期間監視する監視手段と、前記監視手段による監視結果を記憶する記憶手段と、前記記憶手段に記憶された前記監視結果に基づいて、前記一定期間の消費電力量を算出する消費電力算出手段と、前記省エネモード移行時間を仮設定するための仮省エネモード移行時間を設定する仮省エネモード移行時間設定手段と、前記仮省エネモード移行時間設定手段が設定した前記仮省エネモード移行時間と、前記記憶手段に記憶された前記監視結果の内容とに基づき、仮想消費電力を算出する仮消費電力算出手段と、前記消費電力算出手段の算出結果と、前記仮消費電力算出手段の算出結果とを比較する比較手段と、前記比較手段による比較の結果、前記消費電力算出手段の算出結果よりも、前記仮消費電力算出手段の算出結果の方が消費電力が低い場合に、前記仮省エネモード移行時間設定手段が設定した前記仮省エネモード移行時間を前記省エネモード移行時間として自動設定することを特徴とする画像形成装置を提供する。
請求項１７記載の発明では、前記監視手段は、前記画像形成装置の画像形成動作パターン、復帰時間、コピー動作時間、省エネモード移行時間、省エネモードであった省エネモード時間を一定期間監視することを特徴とする請求項１６に記載の画像形成装置を提供する。
請求項１８記載の発明では、現状の前記一定期間の消費電力量と、前記仮想消費電力と、に基づいて、前記省エネモード移行時間を特定間隔で自動的に再設定する省エネモード移行時間再設定手段を備えたことを特徴とする請求項１６または請求項１７に記載の画像形成装置を提供する。
請求項１９記載の発明では、前記省エネモード移行時間の再設定を受け付ける動作指示キーを備えたことを特徴とする請求項１６または請求項１７に記載の画像形成装置を提供する。
【００１２】
請求項２０記載の発明では、前記省エネモード移行時間または前記仮省エネモード移行時間の双方または何れかの入力を受け付ける入力手段を備えたことを特徴とする請求項１６、請求項１７、または請求項１８に記載の画像形成装置を提供する。
請求項２１記載の発明では、前記仮省エネモード移行時間の入力を受け付ける入力手段と、前記入力手段で受け付けた仮省エネモード移行時間に基づき消費電力を算出するシミュレーション手段と、前記シミュレーション手段によるシミュレーション結果を表示するシミュレーション結果表示手段と、を備えたことを特徴とする請求項１６から請求項１９の何れか１項に記載の画像形成装置を提供する。
請求項２２記載の発明では、前記シミュレーション手段がシミュレーションした消費電力の省エネモード移行時間を前記画像形成装置の新たな省エネモード移行時間として設定することを特徴とする請求項２１記載の画像形成装置を提供する。
請求項２３記載の発明では、前記記憶手段に記憶されている一定期間の消費電力、仮想消費電力、一定期間の省エネモード移行時間または仮設定された省エネモード移行時間のすべてまたは何れかを表示する表示手段を備えたことを特徴とする請求項１６から請求項２２の何れか１項に記載の画像形成装置を提供する。
請求項２４記載の発明では、前記省エネモード移行時間再設定手段により省エネモード移行時間を再設定した状態の消費電力測定を一定期間行い、省エネモード移行時間を再設定する前の消費電力と、この一定期間の消費電力とを表示する表示手段を備えたことを特徴とする請求項１６から請求項２３の何れか１項に記載の画像形成装置を提供する。
請求項２５記載の発明では、使いやすさ優先か、または電力消費量削減優先かの選択を受け付ける選択手段を備えたことを特徴とする請求項１６から請求項２４の何れか１項に記載の画像形成装置を提供する。
請求項２６記載の発明では、前記消費電力算出手段により算出された消費電力に対応する電気料金と、前記仮消費電力算出手段により算出された消費電力に対応する電気料金とを双方または何れかを表示する料金表示手段を備えたことを特徴とする請求項１６から請求項２５の何れか１項に記載の画像形成装置を提供する。
請求項２７記載の発明では、通常状態より消費電力の低い省エネモードを備え、一定時間以上使用されないと前記省エネモードに移行する省エネモード移行時間と、前記省エネモードを解除する省エネモード解除手段を設けた画像形成装置の制御方法において、画像形成動作パターンと、復帰時間、コピー動作時間、省エネモード移行時間、省エネモード時間を一定期間監視する第１のステップと、前記第１のステップで監視した結果を記憶する第２のステップと、前記第２のステップで記憶した監視結果に基づき前記一定期間の消費電力を算出する第３のステップと、前記省エネモード移行時間を仮設定する第４のステップと、前記第４のステップで仮設定された省エネモード移行時間に対応し、第２のステップで記憶した監視結果に基づき動作時間を計測する第５のステップと、前記第５のステップで計測された動作時間により仮想消費電力を算出する第６のステップと、前記第３のステップの算出結果と、前記第６のステップの算出結果とを比較する第７のステップと、前記第７のステップによる比較の結果、前記第３のステップの算出結果よりも、前記第６のステップの算出結果の方が消費電力が低い場合に、前記第４のステップが仮設定した省エネモード移行時間を前記省エネモード移行時間として自動設定する第８のステップと、を有することを特徴とする画像形成装置の制御方法を提供する。
【発明の効果】
【００１３】
請求項１から請求項１５記載の発明では、画像形成装置の電力監視システムまたは画像形成装置の電力監視システムの制御方法において、現状の一定期間の消費電力と、省エネモード移行時間を仮設定した時の消費電力との比較を行い、消費電力が少ない仮の省エネモード移行時間を省エネモード移行時間に設定することにより、消費電力削減を可能にすることができる。また、削減出来る消費電力を可視化し、電力削減を効果的に促すことができる。
【００１４】
請求項１６から請求項２７の画像形成装置または画像形成装置の制御方法によれば、現状の一定期間の消費電力と、省エネモード移行時間を仮設定した時の消費電力との比較を行い、消費電力が少ない仮省エネモード移行時間を省エネモード移行時間に設定することにより、画像形成装置の消費電力削減を可能にすることができる。また、削減出来る消費電力を可視化し、電力削減を効果的に促すことが可能な画像形成装置を提供することができる。
【発明を実施するための最良の形態】
【００１５】
以下、本発明の好適な実施の形態を、図１ないし図３６を参照して詳細に説明する。
図１は、本実施の形態に係る電力監視システムの概略構成を示した図である。
この図１に示すように、この電力監視システムは、会社（ビル）に設置されたＯＡ機器、照明設備制御装置、入退出管理システムが社内ＬＡＮ（ローカル・エリア・ネットワーク）に接続され、当該社内ＬＡＮ（ローカル・エリア・ネットワーク）を介して監視装置１０８に接続されている。
なお、機器監視システムは、本実施例の画像形成装置の電力監視システム以外の機能、例として、社員の入退出を監視した、セキュリティ管理機能、照明の監視機能等も備えているが、ここでは、画像形成装置の電力監視システムの機能のみ説明する。従って、以後は機器監視システムを画像形成装置の電力監視システムとして説明する。
【００１６】
本実施例の画像形成装置の電力監視システムは、１階のフロアまたはＡ居室１１８に設置され、社内ＬＡＮに接続された画像形成装置１０３、１０４、画像形成装置（プリンタ）１０５、パソコン１０９、入退出管理システム１１５、２階フロアまたはＢ居室１１７に設置され、社内ＬＡＮに接続された画像形成装置１１０、画像形成装置１１１、ファクシミリ装置（ＦＡＸ）１１２、照明設備制御装置１１３とを監視するために、前記社内ＬＡＮに接続された監視装置１０８と、ルーター（Ｒｏｕｔｅｒ）１２０を通してインターネット上に接続されたウェブサーバー１０７と、前記ウェブサーバーデータを公開し指定された特定のユーザーが閲覧できる外部モニター１１６とで構成されている。
なお、画像形成装置１０３には周囲の明るさを検知する光センサを有しており、この情報を監視装置はモニタリングすることにより、リモートで画像形成装置１０３を省エネモードに移行することも可能である。
【００１７】
入退出管理システムは、ＩＣカードに個人情報を記憶したＩＣカード情報を読み込むことにより、人の入退出管理及びセキュリティ管理を行っている。入退出管理システム１１５は、各フロア又は、部屋の全ての人が退社した場合、及び部屋またはフロワーに人が入った場合に、その情報をＬＡＮを通して監視装置１０８に送信する。なお、監視装置１０８には上記した機器の情報を記憶管理するウェブサーバー１０７上にデータを公開し指定された特定のユーザーが閲覧できるようにしている。
【００１８】
また、監視装置１０８は時計機能及びカレンダー機能を有しており、予め設定された日時または、お昼休み等の休憩時間になると照明等の電源及び画像形成装置の電源をＯＦＦするか、または省エネモードへの移行動作を行う。また、予め設定された日時または、お昼休み等の休憩が終了する時間になると照明等の電源及び画像形成装置の電源をＯＮまたは、省エネモードの解除動作を行う機能も備えている。
【００１９】
本実施例に係る監視装置１０８はネットワーク（ＬＡＮ）を介して、画像形成装置１０３〜１０５、１１０、１１１のウォームアップモード、コピーモード（画像形成動作）待機モード、省エネモード、復帰モード及びこの各動作モードの動作時間を監視し記憶している。なお、画像形成装置は待機モード状態にて一定時間使用されないと省エネモードに移行するのでこの待機モード時間が省エネモード移行時間となる。
監視装置１０８は、この各モードの動作時間と、予め設定された各動作モードの消費電力により各画像形成装置の消費電力算出を行う場合と、動作状態を監視し、各モードの動作時間を生成し、各画像形成装置の消費電力算出を行う場合とがある。
【００２０】
図２には、本実施例に係るインターネットを使用した電力監視システムの概略構成を示してある。
監視装置２０８は、監視対象となる画像形成装置のネットワークアドレスを予め設定しておくことにより、図１の電力監視システムと同様の動作が可能である。
この電力監視システムは、管理サーバー２１９若しくは、ウェブサーバー２０７上にデータを公開し、指定された特定のユーザーが閲覧できるようにしている。
この画像形成装置の電力監視システムは、Ａ社のネットワークシステム２１８と、Ｂ社のネットワークシステム２１７と、この機器を監視するインターネット上に接続された監視装置２０８と、管理サーバー２１９若しくは、ウェブサーバー２０７上にデータを公開し、指定された特定のユーザーが閲覧できる外部モニター２１６とで構成されている。
Ａ社のネットワークシステム２１８は、画像形成装置２０３、画像形成装置２０４、画像形成装置２（プリンタ）２０５、スキャナー２０６、入退出管理システム２１５が社内ＬＡＮに接続され、外部から不正な侵入を防ぐためのファイアウォール（Ｆｉｒｅｗａｌｌ）２０２を通してルーター（Ｒｏｕｔｅｒ）２０１に接続されている。そして、ルーター２０１によりインターネットに接続されている。また、Ｂ社のネットワークシステム２１７は、画像形成装置２１０、画像形成装置２１１、ファクシミリ装置（ＦＡＸ）２１２、パソコン２０９、照明設備制御装置２１３が社内ＬＡＮに接続され、ルーター（Ｒｏｕｔｅｒ）２１４を通してインターネットに接続されている。
なお、本実施例は、ＬＡＮを使用したシステムであるが、アナログモデム、ＡＤＳＬを使用してインターネットに接続することも可能である。
監視装置２０８の動作は、図１に記述された監視装置１０８と同じ動作を行う。
【００２１】
次に、図３の監視装置１０８にネットワークを介して接続される画像形成装置の代表的な回路図を説明する。
画像形成装置のシステムは、画像形成装置の全体制御を行うコントローラボード５０１、コントローラボード５０１に接続された画像形成装置の操作部制御ボード５０２、画像データを記憶するＨＤＤ（ハード・ディスク・ドライブ）５０３、ＬＡＮインターフェースボード５０５、汎用ＰＩＣバスによりコントローラボード５０１に接続されたＦＡＸコントローラユニット（ＦＣＵ）５０６と、エンジン制御ボード５１０と、エンジン制御ボード５１０に接続されたコピー原稿（画像）を読み込むスキャナーボード（ＳＢＵ）５１１、及び画像データをドラム上に書き込む、書き込み制御用ボード５１２、画像形成装置に搭載された定着装置に電力を供給するＡＣ制御回路５１９及び上記ボード、制御回路に電源を供給するＰＳＵ５２５等で構成される。
【００２２】
ＰＳＵ５２５は、スイッチング・レギュレータＩＣ５１５を備えており、画像形成装置が画像形成動作を行うために必要な電源を各ボード、制御回路及びメカトロ部品に供給している。また、ＰＳＵ５２５は、エンジン制御ボード５１０のＣＰＵ５１８から、画像形成装置の使用電力を削減するための省エネモード移行信号（ｃ）が出力されると、コントローラボード５０１、ＬＡＮインターフェースボード５０５、省エネモード解除ＳＷ５０８及びＡＤＦセンサ５０９への電源供給以外は停止する。
【００２３】
ＬＡＮインターフェースボード５０５は、社内ＬＡＮに接続されており、コントローラボードとの通信インターフェースは、ＰＨＹチップＩ／Ｆ（インターフェース）及びＩ２ＣバスＩ／Ｆ（インターフェース）の標準的な通信インターフェースで接続されている。外部機器との通信はこのＬＡＮインターフェースボード５０５を経由して実施される。
ＬＡＮインターフェースボード５０５は、外部機器からの信号を受信すると、省エネモード解除信号（ａ）をＰＳＵ５２５に出力する。ＰＳＵ５２５は省エネモードを解除するために、画像形成装置の画像形成を行うために必要な電源を各ボード、制御回路及びメカトロ部品に電源を供給する。画像形成装置は、主電源のスイッチが投入された時と同じ状態に復帰する。
【００２４】
また、ＰＳＵ５２５は省エネモード解除ＳＷ５０８からの省エネモード解除信号（ｂ）、圧板の開放を検知する圧板センサ５２２または、ＡＤＦ（原稿自動搬送装置）への原稿挿入を検知するＡＤＦセンサ５０９の出力が入力されると、省エネモードを解除するために、画像形成装置の画像形成を行うために必要な電源を各ボード、制御回路及びメカトロ部品に電源を供給する。画像形成装置は、主電源のスイッチが投入された時と同じ状態に復帰する。
また、省エネモード移行時間見直しキー５３０が押下されると、操作部制御ボード５０２のＣＰＵはコントローラボード５０１にその信号を送信する。コントローラボード５０１のＣＰＵは、電力監視装置にこの信号を送信する。
【００２５】
次に、図３の画像形成装置の制御回路の詳細説明を行う。
原稿を光学的に読み取るカラー原稿読取ユニット３００は、原稿に対する原稿照明光源の走査を行い、ＣＣＤ５２１に原稿像を結像する。原稿像すなわち原稿に対する光照射の反射光をＣＣＤ５２１で光電変換してＲ、Ｇ、Ｂの画像信号を生成する。
ＣＣＤ５２１は、３ラインカラーＣＣＤで、ＥＶＥＮｃｈ／ＯＤＤｃｈのＲ、Ｇ、Ｂ画像信号を生成し、ＳＢＵボードのアナログＡＳＩＣに入力する。ＳＢＵボードにはアナログＡＳＩＣ及び、ＣＣＤ、アナログＡＳＩＣの駆動タイミングを発生する回路を備えている。
ＣＣＤ５２１の出力は、アナログＡＳＩＣ内部のサンプルホールド回路により、サンプルホールドされた後、Ａ／Ｄ（アナログ／デジタル）変換され、Ｒ、Ｇ、Ｂの画像データに変換し、画像データバスの出力Ｉ／Ｆ（インターフェース）５２０を介して画像データ処理器ＩＰＰ（Ｉｍａｇｅ  Ｐｒｏｃｅｓｓｉｎｇ  Ｐｒｏｃｅｓｓｏｒ；以下では単にＩＰＰと記述）に送出される。
【００２６】
ＩＰＰは画像処理をおこなうプログラマブルな演算処理手段であり、ＳＢＵからＩＰＰに転送された画像データは、ＩＰＰにて信号劣化（スキャナー系の信号劣化）を補正され、フレームメモリー５０７に書き込まれる。
コントローラボード５０１には、ＣＰＵ及びシステムコントローラボードの制御を行うＲＯＭ、ＣＰＵが使用する作業用メモリーであるＲＡＭ、リチウム電池によりＳＲＡＭのバックアップと時計機能を備えたＮＶ−ＲＡＭ及び、システムコントローラボード５０１のシステムバス制御、ローカルバス制御、フレームメモリー、ＦＩＦＯ等のメモリーインターフェース制御、ＰＣＩバス、ＨＤＤＩ／Ｆ、圧縮／伸長、編集／回転機能及びＣＰＵ周辺を制御する機能を搭載したＡＳＩＣ及びそのインターフェース回路等が搭載されている。
ＮＶ−ＲＡＭには、画像形成装置の動作パターン、復帰時間、コピーモード（画像形成動作）時間、待機モード時間及び省エネモード時間を記憶している。
なお、画像形成装置は待機モード状態にて一定時間使用されないと省エネモードに移行するのでこの待機モード時間が省エネモード移行時間となる。この各動作モード時間は監視装置１０８により監視されており、監視装置１０８はこの各モードの動作時間と、予め設定された各動作モードの消費電力により各画像形成装置の消費電力算出を行うようになっている。
【００２７】
ワークメモリー５０４は、プリンタで使用する画像展開（ドキュメントデータからイメージデータへの変換）の作業用メモリーである。フレームメモリー５０７は、電源が供給され続けている状態で即座に印刷される読み取り画像や、書き込み画像のイメージデータを、一時蓄える作業用メモリーである。
ＨＤＤ５０３は、システムのアプリケーションプログラムならびにプリンタ、作像プロセス機器の機器付勢情報を格納するアプリケーションデータベース、ならびに、読み取り画像や書き込み画像のイメージデータ、すなわち画像データ、ならびにドキュメントデータを蓄える画像データベースとして用いられる。
物理インターフェース、電気的インターフェース共に、ＡＴＡ／ＡＴＡＰＩ−４に準拠したインターフェースでコントローラに接続されている。
【００２８】
システムコントローラボード５０１は、上記機能を使用しスキャナーアプリケーション、ファクシミリアプリケーション、プリンタアプリケーション及びコピーアプリケーション等のシステム全体の制御を行う。
また、操作部制御ボード５０２の入力を解読して本システムの設定とその状態内容を操作部の表示部に表示する。
操作部制御ボード５０２には、ＣＰＵ及びＲＯＭ，ＲＡＭ、ＬＣＤ及びキー入力を制御するＡＳＩＣ（ＬＣＤＣ）が搭載されている。
ＲＯＭには操作部制御ボード５０２の入力読込み、及び表示出力を制御する、操作部制御ボード５０２を制御する制御プログラムが書き込まれている。ＲＡＭは、ＣＰＵで使用する作業用メモリーである。
コントローラボード５０１との通信により、パネルを操作して使用者がシステム設定の入力を行う、入力と、使用者にシステムの設定内容、状態を表示する、表示及び入力の制御を行っている。
【００２９】
また、操作部制御ボード５０２は、監視装置１０８から送信された、一定期間の消費電力、仮想消費電力、再設定された省エネモード移行時間、再設定前の省エネモード移行時間及び省エネモードを変更する表示、及び省エネモードの変更を確認入力する機能、省エネモード移行時間の見直しキー等を備えている。
エンジン制御ボード５１０は、画像形成装置の作像作成制御を主として行い、ＣＰＵ及び、画像処理を行うＩＰＰ、複写及びプリントアウトを制御するため必要なプログラムを内蔵したＲＯＭ、その制御に必要なＲＡＭ、及びＮＶ―ＲＡＭを搭載している。
また、他の制御を行なうＣＰＵとの信号の送受信を行なう、シリアルインターフェースも備えている。
【００３０】
Ｉ／ＯＡＳＩＣは、画像形成装置を制御するモーター、画像形成に使用する帯電、現像バイアス、転写バイアス等の高圧電源制御、コピー用紙を送り出すピックアップソレノイド、給紙クラッチ、レジストクラッチ等や、レジストセンサ、排出センサ等、トナーエンドセンサ、Ｐセンサ、Ｔセンサ、定着温度を検出するサーミスター等のアナログ制御も含む画像形成装置のＩ／Ｏ制御を行っている。
この定着温度は、主電源ＯＮ時、または省エネモード解除時の温度が検出され、ＮＶ−ＲＡＭに記憶され定着装置の立ち上げ時異常検出に使用される。この定着温度も電力監視装置からの指示により、電力監視装置に送信される。
書き込み制御用ボード５１２には、書き込み画処理用ＡＳＩＣ５１３及びこのＡＳＩＣから出力された、ブラック（Ｂ）、イエロー（Ｙ）、シアン（Ｃ）、マデンタ（Ｍ）のＰＷＭ信号をドライブするＬＤドライバ５１４が搭載されている。書き込み画処理用ＡＳＩＣ５１３はエッジ補正、ジャギー補正、倍密処理等を行っている。
ＬＤ５１７は各色毎に４個のユニットで構成され、同期検知センサ５１６を備えている。
ＬＤドライバ５１４はＬＤの出力光をＰＤで検知して、フィードバックすることにより、レーザー光を所定の値になるよう電流制御（変調制御）をしている。
【００３１】
次に画像形成装置の動作パターン例を図４及び図５を参照して説明する。
図４は、画像形成装置の画像形成動作（コピー動作）のパターン例を示した図である。  コピー動作パターン１は、主電源がＯＮされコピー動作を行い、一定時間以上経過後にスリープモード（省エネモード）に移行している。コピー動作パターン２は、スリープモード（省エネモード）が解除され、復帰動作を行い、コピー動作後に一定時間以上経過するとスリープモード（省エネモード）に移行している。
コピー動作パターン３は、スリープモードの時間が短時間の間にコピー動作が実施された例である。コピー動作パターン４は、スリープモードに移行する前に、コピー動作が実施された例である。
コピー動作パターン５は、スリープモードが解除後にコピー排出枚数が多い、コピー動作を実施した例である。
図４の画像形成装置の一定期間の消費電力は、コピー動作パターン１（Ａ１＋Ａ２＋Ａ３＋Ａ４）＋コピー動作パターン２（Ｂ１＋Ｂ２＋Ｂ３＋Ｂ４）＋コピー動作パターン３＋コピー動作パターン４＋コピー動作パターン５＋コピー動作パターンＮになる。
なお、Ａ１〜Ａ４及びＢ１〜Ｂ４は各動作モード時の消費電力（Ｗ）である。
このコピー動作パターンは、機器またはユーザーにより異なる。従って消費電力も異なる。
本実施例は、コピー動作間隔は同じと仮定し、省エネモード移行時間のみを変えて、消費電力を算出している。
【００３２】
図５は、省エネモード移行時間を変えて生成された画像形成装置の画像形成動作（コピー動作）のパターン例を示した図である。
本コピー動作パターンは省エネモードに移行する時間を短くした場合と、長くした場合の例である。短くした場合は、省エネモードの時間が長くなるので、待機モード時の消費電力が削減出来る。一方、コピー動作時間間隔が短い場合は、省エネモード移行時間を伸ばすことにより、復帰時の消費電力≫スリープ時の消費電力の関係が成立すれば、復帰時の消費電力が削減出来る。
【００３３】
次に、省エネモード移行時間を変更した場合の消費電力算出方法を図６から図１０に基づいて説明する。
先ず初めに、省エネモードへの移行を現状の移行時間（１５分）より短くした（１分）にした時の消費電力の算出方法の説明を行う。なお、詳細は、消費電力算出フローチャート（図２２）の説明で行う。
省エネモードへの移行を現状の移行時間（１５分）より短くした場合の消費電力算出方法として、現状の移行時間内に、コピー動作が実施された場合と、実施されない場合のパターンに分けて消費電力を算出する必要がある。
コピー動作が実施されない場合は、単純に待機時間（移行時間）を置き換え、現状の待機時間（移行時間）から、短くした待機時間（移行時間）を減算し、この値に現状の省エネモード時間を加算すれば、移行時間を短くした時の新たな省エネモード時間の算出が可能となる。
【００３４】
図６のパターンの消費電力は、移行時間（１分）と待機モード時の一時間当たりの消費電力（Ｗｈ）との積を求め、前記で算出した省エネモード時間と省エネモード時の一時間当たりの消費電力（Ｗｈ）との積を加算すれば求められる。
図６に示すパターンの式は、消費電力＝〔仮移行時間（１分）×待機時の電力（Ｗｈ）〕＋〔現状の省エネモード時間（ｄ）＋現状の移行時間（１５分）−仮移行時間（１分）〕×省エネモード時の電力（Ｗｈ）である。
省エネモード移行時間を１分にした時の上図の仮想消費電力はａ＋ｂ＋ｃ＋ｄとなる。従って、移行時間を１分にすることによりａの部分の消費電量の削減が可能となる。
以下に算出式を示す。
【００３５】
〔ｂの部分の仮想消費電力（待機時の消費電力）＝仮移行時間（１分）〕×待機時電力（Ｗｈ）
ｃの部分の仮想消費電力＝〔現状の移行時間（１５分）−仮移行時間（１分）〕×省エネモード時電力（Ｗｈ）
１分にした時の省エネモード時の消費電力＝ｃ電力＋（省エネモード時間（ｄ）×省エネモード時電力（Ｗｈ））
一定期間の累計仮想消費電力は下記式となる。
〔（ｂ＋ｃ＋ｄ）累計消費電力〕＋〔コピー動作時間累計×コピーモード時電力（Ｗｈ）〕＋〔復帰時間累計×復帰時の電力（Ｗｈ）」
【００３６】
図７は、省エネモード移行時間（１５分）内に次のコピーが発生した例を説明する図である。
図８は、図７のコピー動作の省エネモード移行時間を１分にした例を示し図である。
省エネモードへの移行を現状の移行時間（１５分）より短くした（１分にした）場合は、現状の移行時間（１５分）内に連続コピーしたコピー動作に対して、復帰時の消費電力を加算する必要がある。省エネモードに早く移行するので、図８に示す待機電力は削減されるが、復帰回数は増えるので復帰時の消費電力は増加する。しかし、省エネモードに早く移行するので、待機時の消費電力は削減出来る。
移行時間を短くした方が電力削減されるか否かは、機器によっても異なるし、このモードの発生回数によっても異なる。
【００３７】
現状の移行時間内に、コピー動作が実施された場合（省エネモードへの移行を１５分から１分にした場合に、この１５分以内にコピー動作が発生した場合）の消費電力算出は、待機モードの時間を待機モード時間と、省エネモード時間とに分けて消費電力算出を行い、このコピー動作が発生した回数の復帰時の消費電力を加算する必要がある。
以下に算出式を示す。
移行時間１分間の仮想消費電力（ｂ待機時の消費電力）＝仮移行時間（１分）×待機時の電力（Ｗｈ）
移行時間１分間にすること、待機モードが省エネモードになるので、この時の省エネモードの仮想消費電力は（ｃ）＝〔待機モード時間−仮移行時間（１分）〕×省エネモード時の電力（Ｗｈ）
【００３８】
省エネモード移行時間が１５分の時に、この時間内に画像形成動作を複数回実施した場合の仮想消費電力は＝（ｂ＋ｃ＋復帰時の消費電力（１０）＋コピー時の消費電力（１））を１５分以内にコピー動作が発生した動作パターンについて計算すれば良い。
累計の仮想消費電力はこの値に下記の計算値を加算すればよいことになる。
〔生成した待機モード時間累計×待機モード時の電力（Ｗｈ）〕＋〔生成した省エネモード時間累計×省エネモード時の電力（Ｗｈ）〕＋〔コピー動作時間累計×コピー時の電力（Ｗｈ）〕＋〔復帰時間累計×復帰時の電力（Ｗｈ）〕
【００３９】
次に、図９を用いて、省エネモードへの移行を現状の移行時間（１分）より長くした（１５分にした）時の消費電力算出方法の説明を行う。なお、詳細は、消費電力算出フローチャート（図２３）の説明で行う。
省エネモード移行後、数枚のコピーを連続して行うような使用が多くある場合は、少ないコピー枚数を行う都度、復帰電力を必要とするので省エネモード移行時間を伸ばした方が消費電力削減になる場合もあるが、この削減も機器により異なる。
省エネモードへの移行を現状の移行時間（１分）より長くした場合の消費電力算出方法として、現状の移行時間内に、復帰動作が発生しなくなる場合と、復帰動作の発生が変わらない場合とに分けて消費を算出する必要がある。移行時間を長くしても、現状の移行時間内に、復帰動作が発生しない場合は、単純に待機時間（移行時間）を置き換え、長くした待機時間（移行時間）から現状の待機時間（移行時間）を減算しこの値を、現状の省エネモード時間から、差し引けば、新たな省エネモード時間が算出可能となる。
【００４０】
以下に図９の消費電力の算出式を示す。これは、現状の移行時間内に、復帰動作が発生しなくなる場合である。
移行時間１分（ｂ）＋省エネモード時間（ｃ）を待機モード時間として設定する。
仮想消費電力算出＝〔（ｂ時間＋ｃ時間）×待機モード時の電力（Ｗｈ）〕＋コピー消費電力（（１））
この計算を（１）〜（６）の動作パターンについて実施すれば、図９の累計仮想消費電力が求められる。
【００４１】
以下に図１０の消費電力の算出式を示す。これは、復帰動作の発生が変わらない場合である。
待機モード（移行時間）は１５分になるので、新たな省エネモード時間（ｅ）は、現状の省エネモード移行時間（ｄ）―〔待機モード時間（１５分）―現状の待機時間１分〕となる。
従って、省エネモード移行時間を１５分にした時の、図１０の仮想消費電力は＝〔仮待機時間×待機モード時の電力（Ｗｈ）〕＋〔コピー動作時間×コピーモード時電力（Ｗｈ）〕＋〔新たな省エネモード時間×省エネモード時の電力（Ｗｈ）〕
累計消費電力の算出は、図１０の動作パターンが発生した回数について計算すれば良い。
【００４２】
本実施例に係る電力監視装置の表示画面及び入力画面の例を図１１から図１５に示す。
まず、電力監視装置の基本画面の例を図１１に示す。
現在の省エネモード移行時間と、この移行時間の一定期間の消費電力表示と、省エネモード移行時間を変更後の移行時間と、この移行時間の一定期間の消費電力を表示している。
次に、図１２は、現状の省エネモード移行時間を変更する画面の例を示した図である。
この入力は、消費電力を削減する目的に入力するのではなく、使用し易さを考えて入力設定する画面である。この値を入力し、省エネモード移行時間の見直しを行えば、この値が、現状の省エネモード移行時間となる。
入力は、現状の省エネモード移行時間を表示した移行時間表示ボックスの▼をクリックし、表示された移行時間のチェックボックスをチェックすることにより入力される。
【００４３】
次に、図１３は、仮の省エネモード移行時間を入力し一定期間の消費電力をシミュレーションした結果を表示する画面の例を示した図である。
仮の省エネモード移行時間の入力は、変更後の省エネモード移行時間を表示した移行時間表示ボックスの▼をクリックし、表示された移行時間のチェックボックスをチェックすることにより入力され、シミュレーションが実施されその結果が表示される。この時の変更後の省エネモード移行時間は、仮の省エネモード移行時間に変わる。
この仮省エネモード移行時間を選択するチェックボックスをチェックすることにより、仮省エネモード移行時間が省エネモード移行時間として設定され、画像形成装置に送信される。
次に、使いやすさ優先または電力削減優先を選択する入力画面の例を図１４に示す。
使いやすさ優先のチェックボックスをチェックすることにより、画像形成装置の省エネモード移行時間は最大に設定される。電力削減優先のチェックボックスをチェックすると、省エネモード移行時間の見直しが実施される。
続いて、消費電力を電気料金に変換して表示した例を図１５に示す。
この電気料金は、一定期間の消費電力、電気料金を表示するフローチャートにより、１ＫＷｈ当たり２３円で換算した値である。
【００４４】
次に、本発明の電力監視装置が画像形成装置からコピー動作情報の取得を行い、動作モードとその動作時間を生成するフローチャートを図１６から図１９に示す。
なお、画像形成装置側に一定期間の動作モードの累積時間を蓄積し、この情報を取得して、消費電力を算出することが可能である。この処理は後に説明する。
先ず図１６を参照して説明する。初めに、電力監視装置は画像形成装置との通信が可能か確認する（ステップ１０）。通信が確認出来ない場合には（ステップ１０；Ｎ）、コピーモード、待機モード、省エネモード、復帰モードの一連のコピー動作をカウントするコピー動作カウンター、省エネモード復帰回数カウンター以外はモードフラグ、カウンター関連のイニシャライズを行い処理を終了する（ステップ１１）。
一方、通信が可能な場合には（ステップ１０；Ｙ）、予め設定された一定期間、例として、一ヶ月間の消費電力監視中か確認する（ステップ１２）。監視中でない場合には（ステップ１２；Ｎ）、処理を終了する。
【００４５】
監視中の場合には（ステップ１２；Ｙ）、画像形成装置がコピー中（コピーモード）か、確認する（ステップ１３）。コピーモードの場合は（ステップ１３；Ｙ）、次にコピーモード中フラグをセットし（ステップ１４）、続いてコピーモード時間を計測するカウンターにカウント１を加算する（ステップ１５）。
次に、省エネモードが解除されるとセットされる、復帰中フラグがセットされているか確認する（ステップ１６）。セットされて無い場合には（ステップ１６；Ｎ）、処理を終了する。一方、セットされている場合には（ステップ１６；Ｙ）、次に復帰時間計測中のタイマーを停止し（ステップ１７）、続いて復帰中のフラグをリセットする（ステップ１８）。
【００４６】
次に、コピー動作カウンターに対応した復帰時間を記憶する（ステップ１９）。最初のコピーモードの場合には、コピー動作カウンターは“１”になっている。次に復帰時間計測タイマーをクリアーして（ステップ２０）、処理を終了する。
コピーモードでない場合は（ステップ１３；Ｎ）、コピーモード中フラグがセットされているか確認し（ステップ２１）、コピーモード中フラグがセットされていた場合は（ステップ２１；Ｙ）、コピーモード中フラグをリセットし（ステップ２２）、コピー動作カウンターにカウント１を加算する（ステップ２３）。
次に、コピー動作カウンターに対応したコピーモード時間を記憶する（ステップ２４）。続いてコピーモード時間カウンターをクリアーし（ステップ２５）、処理を終了する。この一連の動作でコピーモード時間を生成できる。
【００４７】
次に、図１７を参照して説明する。コピーモード中フラグがセットされて無い場合には（ステップ２１；Ｎ）、待機モード状態か否かを確認する（ステップ２６）。待機モード中の場合には（ステップ２６；Ｙ）、次に待機モード中フラグをセットする（ステップ２７）。次に待機モード時間を計測するタイマーにカウント１を加算する（ステップ２８）。
次に、省エネモードが解除されるとセットされる、復帰中フラグがセットされているか確認する（ステップ２９）。セットされて無い場合には（ステップ２９；Ｎ）、処理を終了する。一方、セットされている場合には（ステップ２９；Ｙ）、復帰時間計測中のタイマーを停止し（ステップ３０）、復帰中のフラグをリセットする（ステップ３１）。
次に、コピー動作カウンターに対応した復帰時間を記憶する（ステップ３２）。最初のコピーモードの場合には、コピー動作カウンターは“１”になっている。そして、復帰時間計測タイマーをクリアーして（ステップ３３）、処理を終了する。
【００４８】
一方、待機モード状態でない場合には（ステップ２６；Ｎ）、待機モード中フラグがセットされているか確認する（ステップ３４）。セットされている場合には（ステップ３４；Ｙ）、待機モード中フラグをリセットする（ステップ３５）。次に、コピー動作カウンターに対応した待機モード時間を記憶する（ステップ３６）。最初のコピーモードの場合には、コピー動作カウンターは“１”になっている。次に待機モード時間を計測タイマーをクリアーして（ステップ３７）、処理を終了する。
【００４９】
次に、図１８を参照して、待機モード中フラグがセットされて無い場合について説明する。待機モード中フラグがセットされて無い場合は（ステップ３４；Ｎ）、省エネモード中か確認する（ステップ３８）。省エネモード中の場合には（ステップ３８；Ｙ）、待機モード中にセットされる待機モード中フラグをリセットし、省エネモード中フラグをセットし（ステップ３９）、省エネモード時間を計測するタイマーのカウンターにカウント１を加算し（ステップ４０）、処理を終了する。
一方、省エネモード中でない場合には（ステップ３８；Ｎ）、省エネモード中フラグがセットされているか確認する（ステップ４１）。省エネモード中フラグがセットされていた場合には（ステップ４１；Ｙ）、省エネモードが解除されたことになるので、復帰時間を計測するタイマーをスタートさせ（ステップ４２）、次に、復帰中フラグをセットする（ステップ４３）。
次に、省エネモード中フラグをリセットし（ステップ４４）、省エネモード復帰回数カウントにカウント１を加算する（ステップ４５）。続いて、コピー動作カウンターに対応した省エネモード時間を記憶する（ステップ４６）。そして、省エネモード時間を計測タイマーをクリアーして（ステップ４７）、処理を終了する。
【００５０】
次に、復帰時間を計測するタイマー制御の処理手順を図１９のフローチャートを参照して説明する。
この処理手順は、復帰時間が短く、電力監視装置が復帰時間を正確に計測出来ない場合に動作する制御フローである。復帰時間を予め設定し、タイマーにより時間を計測し、この設定時間になったら、復帰動作が完了したこととなる。
先ず初めに、復帰中フラグがセットされているか確認する（ステップ５０）。セットされていた場合は（ステップ５０；Ｙ）、復帰時間を計測するタイマーのカウントを行う（ステップ５１）。次に、復帰時間を計測するタイマーのカウントが予め設定された値か、確認を行い（ステップ５２）、予め設定された値（Ｎ）になった場合は（ステップ５２；Ｙ）、復帰中のフラグをリセットし（ステップ５３）、復帰時間計測中のタイマーを停止する（ステップ５４）。次に、コピー動作カウンターに対応した復帰時間を記憶する（ステップ５５）。最初のコピーモードの場合には、コピー動作カウンターは“１”になっている。そして、復帰時間計測タイマーをクリアーして（ステップ５６）、処理を終了する。
【００５１】
前記した動作をコピー動作毎に行い、各モードの動作時間はコピー動作カウンターに対応して記憶される。コピー動作カウンターが１の場合には、一回目の一連の動作時間が記憶される。
なお、各モードの累積時間は、省エネモードの移行時間を定期的に見直し消費電力を算出するフローチャート図２２、図２３または、入力された仮省エネモード移行時間により、仮想消費電力を算出するフローチャート図３２、図３３の中で累積される。
【００５２】
次に、電力監視装置が画像形成装置からの情報を基に現状の消費電力を算出する処理手順を図２０及び図２１のフローチャートを参照して説明する。
特定間隔での省エネモードの移行時間の見直し、または、省エネモード移行時間の変更、省エネモード移行時間の見直し指示、または現状の消費電力を表示する指示が電力監視装置に入力された場合等にこの処理を実施する。
先ず初めに、各モードの累積時間から累積消費電力を算出する処理である図２０のフローチャートを説明する。
まず、現状の消費電力算出の指示があるか確認し（ステップ６０）、指示がない場合は（ステップ６０；Ｎ）、処理は終了する。
指示がある場合には（ステップ６０；Ｙ）、対象とする画像形成装置から一定期間の累計待機時間を取得し、記憶するフローチャート「図１６」の累計待機時間、又は動作モード毎の動作時間を生成するフローチャート図１６〜図１８の処理により求めた累計待機時間と予め設定された待機時間の１時間当たりの消費電力（Ｗｈ）との積を求め、待機時の累計消費電力算出を行う（ステップ６１）。なお、対象画像形成装置には、事前に電力監視装置から一定期間のコピー動作モード時間の累積と、その動作パターンをＮ−ＶＲＡＭに記憶する指示が出ている。
【００５３】
次に、対象とする画像形成装置から一定期間の累計省エネモード時間を取得し、記憶されたこの累計省エネモード時間、又は動作モード毎の動作時間を生成するフローチャート図１６〜図１８により求めた累計省エネモード時間と予め設定された省エネモード時間の１時間当たりの消費電力（Ｗｈ）との積を求め、省エネモード時の累計消費電力算出を行う（ステップ６２）。
続いて、対象とする画像形成装置から一定期間の累計復帰時間を取得し、記憶されたこの累計復帰時間、又は動作モード毎の動作時間を生成するフローチャート図１６〜図１８により求めた累計復帰時間と予め設定された復帰時間の１時間当たりの消費電力（Ｗｈ）との積を求め、復帰時の累計消費電力算出を行う（ステップ６３）。そして、対象とする画像形成装置から一定期間の累計コピー時間を取得し、記憶されたこの累計コピー時間、又は動作モード毎の動作時間を生成するフローチャート図１６〜図１８により求めた累計コピー時間と予め設定されたコピー時間の１時間当たりの消費電力（Ｗｈ）との積を求め、コピー時の累計消費電力算出を行う（ステップ６４）。
次に、上記で算出した待機時の累計消費電力と省エネモード時の累計消費電力と復帰時の累計消費電力とコピー時の累計消費電力とを合計した現状の消費電力の算出を行い（ステップ６５）、処理を終了する。
【００５４】
図２１では、累計復帰回数と１回の復帰に必要な消費電力（Ｗ）とにより、復帰時の累積消費電力と、累計コピー枚数と１枚のコピー消費電力（Ｗ）とにより、コピー時の累積消費電力を算出している（ステップ７３〜ステップ７５）。それ以外は、図２０の処理と同じである。
【００５５】
次に、特定間隔で消費電力の算出を行い、省エネモードの移行時間を見直す処理手順をを図２２、図２３のフローチャートを参照して説明する。
図２２のフローチャートは、省エネモードの移行時間を見直すために、省エネモード移行時間を現状の移行時間（１５分）より短く仮設定（１分）した場合の、画像形成装置の一定期間の消費電力を算出するフローである。移行時間は１分に限らず、５分、１０分でも良い。
先ず初めに省エネモード移行時間の見直し時期か確認する（ステップ８０）。なお、この見直し時期（間隔）は、予め設定された場合と、電力監視装置の入力手段より入力される場合がある。見直し時期でない場合は（ステップ８０；Ｎ）、処理を終了する。
見直し時期の場合には（ステップ８０；Ｙ）、省エネモード移行時間（本実施例は１５分）が何分か確認する（ステップ８１）。確認した結果、まずこの時間より短い時間（本実施例は１分）を仮設定し（ステップ８２）、次に確認した省エネモード移行時間（１５分）内に、コピー動作を実施されているか、対象画像形成装置の使用状況を一定期間監視し記憶したこの使用状況を確認する（ステップ８３）。
【００５６】
１５分以内に実施したコピー動作モードがない場合には（ステップ８３；Ｎ）、累計待機時間の生成を行う（ステップ９４）。累計待機時間の生成は、省エネモード移行時間を１分に仮設定したのでこの時間が待機時間になり、この待機時間と省エネモード移行（復帰）回数との積を求めれば累計待機時間の算出ができる。この時間と予め設定された待機モード時の１時間当たりの消費電力（Ｗｈ）との積を求めれば、仮の待機モードの累計消費電力が算出出来る。
次に、累計省エネモード時間の生成を行い、仮の省エネモードの累計消費電力算出を行う。仮の省エネモード時間は、現状の省エネモード移行時間（１５分）から仮の省エネモード移行時間（１分）を減算し、この値に、記憶（実測）された現状の省エネモード時間を加算すれば求められる。
【００５７】
この計算を記憶された一定期間のコピー動作パターンについて実施し合計すれば、累積省エネモード時間を求めることができる。この累積時間と予め設定された省エネモード時の１時間当たりの消費電力（Ｗｈ）との積を求めれば仮の省エネモードの累計消費電力算出ができる（ステップ９５）。
次に、省エネモードから復帰する時の累計消費電力算出を行う。１５分以内のコピー動作がないので、復帰時間の補正は不要であり、そのままの復帰時間の累計と復帰時の１時間当たりの消費電力（Ｗｈ）との積を求め、復帰する時の累計消費電力算出を行う（ステップ９６）。続いて、コピー動作時の累計消費電力算出を行う。コピー動作時の補正も不要であり、そのままのコピー時間の累計とコピー動作時の１時間当たりの消費電力（Ｗｈ）との積を求め、コピー時の累計消費電力算出を行う（ステップ９７）。
【００５８】
次に、省エネモード移行時間を１分にした場合の、一定期間の累計消費電力を算出するために、上記で算出した待機時の累計消費電力と省エネモード時の累計消費電力と復帰時の累計消費電力とコピー時の累計消費電力とを合計した消費電力を算出する（ステップ９８）。
そして、この算出結果と別の制御フローで算出した現状の一定期間の消費電力と比較を行う（ステップ９９）。比較した結果、仮想消費電力が現状の消費電力より、小さい場合は（ステップ９９；Ｙ）、画像形成装置に省エネモード移行時間を変更する信号を送信し（ステップ１００）、画像形成装置の移行時間を仮省エネモード移行時間に設定する（ステップ１０１）。そして、次に累計仮想消費電力を画像形成装置に送信し（ステップ１０２）、処理を終了する。
【００５９】
一方、現状の消費電力が小さい場合には（ステップ９９；Ｎ、ステップ１０３；Ｙ）、現状の省エネモード移行時間が最適である表示を行い（ステップ１０４）、処理を終了する。現状の消費電力が大きい場合には（ステップ１０３；Ｎ）現状の省エネモード移行時間より長くした場合の消費電力算出フロー（図２３）を実施する。
一方、待機モード移行時間内（１５分内）にコピー動作が実施された場合に（ステップ８３；Ｙ）、省エネモード移行時間を１分にすると、復帰回数は増加するので、復帰時の消費電力も増加する。また、待機時間が省エネモード時間になるので、省エネモード時間は増加し、消費電力も増加するが、待機時間は短くなり、待機電力は削減される。この増減する時間を生成し、消費電力を算出する必要がある。
先ず初めに、待機モード移行時間内（１５分内）にコピー動作が実施された場合、復帰時間は増加するので、待機モード移行時間内（１５分内）にコピー動作が実施された回数の累積復帰時間を生成する（ステップ８４）。この累積復帰時間は、復帰する時間とこのコピー動作が実施された回数との積になる。
【００６０】
次に、このコピー動作が実施された回数の累積待機時間を生成する（ステップ８５）。この累積待機時間は仮設定した省エネモード移行時間（１分）とこのコピー動作が実施された回数との積となる。続いて、この動作パターンの累積省エネモード時間を生成する（ステップ８６）。この省エネモード時間は、記憶された（実測）の待機モード時間から仮設定した省エネモード移行時間（１分）を減算すれば求めることができる。この計算をこの動作パターンについて実施すれば、この累計省エネモード時間が算出出来る。
次に、上記回数以外の累計待機時間を生成する（ステップ８７）。省エネモード移行時間を１分に仮設定したのでこの時間が待機時間になり、この待機時間と省エネモード移行回数との積を求めれば累計待機時間の算出ができる。
【００６１】
次に、上記以外の累計省エネモード時間の生成を行う（ステップ８８）。省エネモード時間は、現状の省エネモード移行時間（１５分）から仮の省エネモード移行時間（１分）を減算し、この値に記憶された（実測の）省エネモード時間を加算すれば求められる。この計算を上記以外の動作パターンについて実施すれば、この累計省エネモード時間が算出出来る。
続いて、上記の累計待機時間の算出を行い、この時間と予め設定された待機モード時の１時間当たりの消費電力（Ｗｈ）との積を求め、仮の待機モードの累計消費電力算出を行う（ステップ８９）。
次に、上記の累計省エネモード時間の算出を行い、この時間と予め設定された省エネモード時の１時間当たりの消費電力（Ｗｈ）との積を求め、仮の省エネモードの累計消費電力算出を行う（ステップ９０）。
【００６２】
そして、上記の累計復帰時間と、記憶された累計復帰時間の合計時間と、復帰時の１時間当たりの消費電力（Ｗｈ）との積を求め、復帰する時の累計消費電力算出を行う（ステップ９１）。次に、コピー動作時の累計消費電力算出を行う（ステップ９２）。コピー動作時の補正は必要であるので、そのままのコピー時間の累計とコピー動作時の１時間当たりの消費電力（Ｗｈ）との積を求め、コピー時の累計消費電力算出を行う。
次に、省エネモード移行時間を１分にした場合の、一定期間の累計の消費電力を算出するために、上記で算出した待機時の累計消費電力と省エネモード時の累計消費電力と復帰時の累計消費電力とコピー時の累計消費電力とを合計した消費電力を算出する（ステップ９３）。そして、この算出結果と別の制御フローで算出した現状の一定期間の消費電力と比較を行う（ステップ９９）。
【００６３】
図２３のフローチャートは、省エネモードの移行時間を見直すために、省エネモード移行時間を現状の移行時間（１分）より長く仮設定（１５分）した場合の一定期間の消費電力を算出するフローである。１５分に限らず、１０分、２０分でも良い。
先ず初めに、省エネモード移行時間（本実施例は１分）が何分か確認する（ステップ１０５）。確認した結果、この時間より長い時間（本実施例は１５分）を仮設定し（ステップ１０６）、次にこの省エネモード移行時間（１５分）内に、コピー動作を実施されているか、対象画像形成装置の使用状況を一定期間監視及び記憶した状況を確認する（ステップ１０７）。１５分以内に実施したコピー動作モードがない場合には（ステップ１０７；Ｎ）、１分間の省エネモード移行時間（待機時間）を１５分にし、この時間を現状の省エネモード時間から差し引いた値を省エネモード時間とし、仮想消費電力を算出すればよい。以下に、具体的な説明を行う。
【００６４】
先ず初めに、仮設定した省エネモード移行時間（１５分）と省エネモード移行回数との積を求め、累計待機時間を生成し、この累計時間と予め設定された待機モード時の１時間当たりの消費電力（Ｗｈ）との積を求め、待機モードの累計消費電力を算出する（ステップ１１８）。
次に、累計省エネモード時間の生成を行い、仮の省エネモードの累計消費電力算出を行う。待機モード（移行時間）は１５分であるので、省エネモード時間は、記憶された（実測）の省エネモード移行時間から待機モード時間（１５分）と現状の移行時間１分を減算し求めることができる。この計算を記憶された一定期間のコピー動作パターンについて実施し合計すれば、累計省エネモード時間の算出ができる。この時間と予め設定された省エネモード時の１時間当たりの消費電力（Ｗｈ）との積を求めれば、仮の省エネモードの累計消費電力が算出出来る（ステップ１１９）。
【００６５】
次に、省エネモードから復帰する時の累計消費電力算出を行う。１５分以内のコピー動作はないので、復帰時間の補正は不要である。そこで、そのままの復帰時間の累計と復帰時の１時間当たりの消費電力（Ｗｈ）との積を求め、復帰する時の累計消費電力算出を行う（ステップ１２０）。
そして、コピー動作時の累計消費電力算出を行う。コピー動作時の補正も不要であるので、そのままコピー時間の累計とコピー動作時の１時間当たりの消費電力（Ｗｈ）との積を求め、コピー時の累計消費電力算出を行う（ステップ１２１）。
続いて、省エネモード移行時間を１５分にした場合の、一定期間の累計の消費電力を算出するために、上記で算出した待機時の累計消費電力と省エネモード時の累計消費電力と復帰時の累計消費電力とコピー時の累計消費電力とを合計した消費電力を算出する（ステップ１２２）。
【００６６】
次に、この算出結果と別の制御フローで算出した現状の一定期間の消費電力と比較を行う（ステップ１２３）。この比較の結果、仮想消費電力が現状の消費電力より、小さい場合は（ステップ１２３；Ｙ）、画像形成装置に省エネモード移行時間を変更する信号を送信し（ステップ１２４）、画像形成装置の移行時間を仮省エネモード移行時間に設定し、累計仮想消費電力を画像形成装置に送信し（ステップ１２５）、画像形成装置の移行時間を仮省エネモード移行時間に設定して（ステップ１２６）、処理を終了する。
一方、現状の消費電力が小さい場合には（ステップ１２３；Ｎ、ステップ１２７；Ｙ）、現状の省エネモード移行時間が最適である表示を行い（ステップ１２８）、処理を終了する。現状の消費電力が大きい場合には（ステップ１２７；Ｎ）、再度、省エネモード移行時間を再設定し、図２２のステップ８０に戻り本フローチャートの動作を繰り返す。
【００６７】
１５分以内に実施したコピー動作モードがある場合には（ステップ１０７；Ｙ）、移行時間を１５分にすることにより、復帰時の電力が必要なくなり、省エネモード時の電力が待機電力になるので、この動作パターンの消費電力を算出する必要がある。以下に具体的な説明を行う。
先ず初めに、復帰に必要とする時間（復帰時間）と１５分以内に実施したコピー動作モード回数との積を求め、この値を記憶された累計復帰時間から減算し、省エネモード移行時間を１５分にした時の累計復帰時間を生成する（ステップ１０８）。次に１５分以内に実施したコピー動作モード回数の累計待機時間の算出を行う（ステップ１０９）。コピー動作モード回数の累計待機時間は、現状の待機時間（１分）に記憶（実測）された省エネモード時間を加算する計算を、１５分以内に実施されたコピー動作パターンについて行えば良い。
【００６８】
次に、省エネモード時間は、待機時間に置き換わったので、この省エネモード時間を累積省エネモード時間から減算する（ステップ１１０）。続いて、上記以外の累積待機モード時間の算出を行う（ステップ１１１）。上記以外の累積待機モード時間の算出は、総省エネモード移行回数から、１５分以内に発生した省エネモード移行回数を減算し、この値と待機モード時間（１５分）の積を求めて累計待機時間を生成する。
次に、上記以外の累積省エネモード時間の算出を行う（ステップ１１２）。上記以外の累積省エネモード時間の算出は、上記以外の記憶された（実測）の省エネモード移行時間から待機モード時間（１５分）と省エネモード移行時間（１分）を減算する。この計算を上記以外の省エネモード移行が発生した動作パターンについて実施すれば、累計省エネモード時間の算出ができる。
【００６９】
次に、上記の累計待機時間の算出を行い、この時間と予め設定された待機モード時の１時間当たりの消費電力（Ｗｈ）との積を求め、仮の待機モードの累計消費電力算出を行う（ステップ１１３）。続いて、上記の累計省エネモード時間の算出を行い、この時間と予め設定された省エネモード時の１時間当たりの消費電力（Ｗｈ）との積を求め、仮の省エネモードの累計消費電力算出を行う（ステップ１１４）。
次に、上記の累計復帰時間と、復帰時の１時間当たりの消費電力（Ｗｈ）との積を求め、復帰する時の累計消費電力算出を行う（ステップ１１５）。そして、コピー動作時の累計消費電力算出を行う（ステップ１１６）。コピー動作時の補正は必要であるので、そのままのコピー時間の累計とコピー動作時の１時間当たりの消費電力（Ｗｈ）との積を求め、コピー時の累計消費電力算出を行う。
【００７０】
次に、省エネモード移行時間を１分にした場合の、一定期間の累計の消費電力を算出するために、上記で算出した待機時の累計消費電力と省エネモード時の累計消費電力と復帰時の累計消費電力とコピー時の累計消費電力とを合計した消費電力を算出する（ステップ１１７）。そして、この算出結果と別の制御フローで算出した現状の一定期間の消費電力と比較を行う（ステップ１２３）。その後の処理は、上記で説明した通りである。
【００７１】
次に、算出した一定期間の消費電力、電気料金を表示する処理手順を図２４のフローチャートを参照して説明する。
電力監視装置は、新たな仮想消費電力算出結果があるか否かを確認する（ステップ１３０）。仮想消費電力算出は、仮特定間隔で省エネモードの移行時間を見直す図２２、図２３のフローチャートまたは、入力された仮省エネモード移行時間により、仮想消費電力を算出する「フローチャート図１９」により、算出される。
新たな仮想消費電力算出結果がある場合には（ステップ１３０；Ｙ）、算出した仮想消費電力結果を電力監視装置の表示画面に表示し（ステップ１３１）、仮想消費電力を算出した時の省エネモード移行時間表示を同じく、電力監視装置の表示画面に表示し（ステップ１３２）、そして、仮想消費電力を電気料金に換算する計算（仮想消費電力×２３円（ＫＷｈ））を実施し表示する（ステップ１３３）。
【００７２】
次に、新たな現状の消費電力算出結果があるか否かを確認する（ステップ１３４）。この新たな現状の消費電力算出結果は、電力監視装置が画像形成装置からの情報を基に現状の消費電力を算出するフローチャート図２０、図２１により求められる。
新たな現状の消費電力算出結果がある場合には（ステップ１３４；Ｙ）、算出した現状の消費電力結果を電力監視装置の表示画面に表示し（ステップ１３５）、現状の省エネモード移行時間表示を同じく、電力監視装置の表示画面に表示し（ステップ１３６）、そして現状の消費電力を電気料金に換算する計算（仮想消費電力×２３円（ＫＷｈ））を実施し表示し（ステップ１３７）、処理を終了する。
【００７３】
次に、省エネモード移行時間を再設定した場合の削減電力を検証する処理手順を図２５のフローチャートを参照して説明する。
この各モードの累計時間は、対象とする画像形成装置から一定期間の累計待機時間を取得し、記憶するフローチャート図２９の累計待機時間、又は動作モード毎の動作時間を生成するフローチャート図１６〜図１８により求めた累計待機時間と予め設定された待機時間の１時間当たりの消費電力（Ｗｈ）との積を求め、待機時の累計消費電力算出を行う。
先ず初めに、省エネモード移行時間を再設定した後の、電力削減が実際にどの程度か、確認する検証期間が経過したか確認する（ステップ１４０）。この検証期間は、予め設定されている。その結果、検証期間が経過した場合には（ステップ１４０；Ｙ）、消費電力の算出を行う。消費電力算出は、現状の消費電力を算出するフローチャート図２０及び図２１と同様である（ステップ１４１〜ステップ１４５）。
算出された累計仮想消費電力を表示し（ステップ１４６）、省エネモード移行時間を変更する前の消費電力を表示し（ステップ１４７）、処理を終了する。
なお、この削減結果が、あまり少ない場合、または大きい場合には、再度仮省エネモード移行時間を再設定しても良い。
【００７４】
次に、省エネモード移行時間の見直しの処理手順、その結果を表示する処理手順を図２７と図２６のフローチャートに示す。
画像形成装置側には、消費電力削減を目的に、省エネモード移行時間が最適か確認するための機能を備え、この信号を電力監視装置に送信することができる。電力監視装置は、この信号を受信すると、省エネモード移行時間の見直し処理（図２７）を実施し、この見直した結果を、画像形成装置に送信する。画像形成装置はこの結果をＮＶ−ＲＡＭに記憶する。
画像形成装置側には、この送信された消費電力及び省エネモード移行時間をＮＶ−ＲＡＭから呼び出し確認することもできる。
以下に、省エネモード移行時間の見直しのフローチャート図２７と、その結果を表示するフローチャート図２６の説明を行う。
【００７５】
先ず初めに電力監視装置から送信される仮想消費電力及び省エネモード移行時間を画像形成装置が表示する図２６のフローチャートを説明する。
画像形成装置は、電力監視装置から仮想消費電力が送信されたか確認し（ステップ１５０）、送信された場合は（ステップ１５０；Ｙ）、仮想消費電力を操作部に表示し、ＮＶ−ＲＡＭに記憶して（ステップ１５１）、処理を終了する。
一方、仮想消費電力が送信されて無い場合には（ステップ１５０；Ｎ）、現状の消費電力が送信されたか確認し（ステップ１５２）、送信された場合は（ステップ１５２；Ｙ）、現状の消費電力を操作部に表示し、ＮＶ−ＲＡＭに記憶し（ステップ１５３）、処理を終了する。
一方、現状の消費電力が送信されて無い場合には（ステップ１５２；Ｎ）、仮省エネモード移行時間が送信されたか確認し（ステップ１５４）、送信された場合は（ステップ１５４；Ｙ）、仮省エネモード移行時間を操作部に表示し、ＮＶ−ＲＡＭに記憶し（ステップ１５５）、処理を終了する。
仮省エネモード移行時間が送信されて無い場合には（ステップ１５４；Ｎ）、省エネモード移行時間が送信されたか確認し（ステップ１５６）、送信された場合は（ステップ１５６；Ｙ）、省エネモード移行時間を操作部に表示し、ＮＶ−ＲＡＭに記憶し（ステップ１５７）、処理を終了する。
【００７６】
次に、省エネモード移行時間見直しの手順を示した図２７のフローチャートの説明を行う。
画像形成装置は（図３の操作部制御ボード５０２のＣＰＵ）、省エネモード移行時間の見直しキーが押されたかを確認し（ステップ１６０）、押下された場合には（ステップ１６０；Ｙ）、この信号を電力監視装置に送信する（ステップ１６１）。次に、電力監視装置から、省エネモード移行時間を変更する前の消費電力及び変更後の消費電力が送信されているか確認する。すなわち、ＮＶ−ＲＡＭに仮想消費電力があるか否かを判断し（ステップ１６２）、あった場合（ステップ１６２；Ｙ）、仮想消費電力を表示し（ステップ１６３）、処理を終了する。一方、ＮＶ−ＲＡＭに仮想消費電力が無かった場合（ステップ１６２；Ｎ）、ＮＶ−ＲＡＭに現状の消費電力があるか否かを判断し（ステップ１６４）、あった場合（ステップ１６４；Ｙ）、現状の消費電力を表示し（ステップ１６５）、処理を終了する。
また、ＮＶ−ＲＡＭに現状の消費電力があるか否かを判断し（ステップ１６４）、無い場合（ステップ１６４；Ｎ）、ＮＶ−ＲＡＭに仮省エネモードの移行時間があるか否かを判断し（ステップ１６６）、あった場合（ステップ１６６；Ｙ）、仮省エネモード移行時間を表示する（ステップ１６７）。一方、ＮＶ−ＲＡＭに仮省エネモードの移行時間があるか否かを判断し（ステップ１６６）、無い場合（ステップ１６６；Ｎ）、ＮＶ−ＲＡＭに省エネモードの移行時間があるか否かを判断し（ステップ１６８）、あった場合（ステップ１６８；Ｙ）、省エネモード移行時間を表示し（ステップ１６９）、処理を終了する。
【００７７】
次に、省エネモード移行時間を入力する処理手順を図２８のフローチャートを参照して説明する。
この入力は、消費電力を削減する目的に入力するのではなく、使用し易さを考えて入力設定する画面である。この値を入力し、省エネモード移行時間の見直しを行えば、この値が、現状の省エネモード移行時間となる。
先ず初めに、現状の省エネモード移行時間を変更する入力があるか否かを確認する（ステップ１７０）。入力がある場合には（ステップ１７０；Ｙ）、現状の省エネモード移行時間を変更して、入力された省エネモード移行時間を表示し（ステップ１７１）、画像形成装置に変更された省エネモード移行時間を送信して（ステップ１７２）、処理を終了する。
一方、現状の省エネモード移行時間を変更する入力がない場合には（ステップ１７０；Ｎ）、仮省エネモード移行時間の入力があるか否かを確認する（ステップ１７３）。入力がある場合には（ステップ１７３；Ｙ）、入力された仮省エネモード移行時間を表示して（ステップ１７４）、処理を終了する。
【００７８】
次に、一定期間、画像形成装置に累積された動作モード時間とその動作モードパターンを取得し、電力監視装置側に記憶する処理手順を図２９のフローチャートを参照して説明する。
先ず初めに一定期間、定期的に監視する日時か否かを確認する（ステップ１８０）。この日時は予め設定された一定期間内の日時であり、例として‘０６年１２月１日０時００分に画像形成装置の情報を取得する。なお、この日時は、電力監視装置に備えられた時計により更新される。また一定期間は‘０６年１２月１日〜１２月３１日と予め設定されている。
そして、この一定期間を監視する日時の場合には（ステップ１８０；Ｙ）、予め画像形成装置のＮＶ−ＲＡＭに記憶された、この日時の累計コピー時間を収得し、この日時毎に記憶装置に記憶する（ステップ１８１）。そして、予め画像形成装置のＮＶ−ＲＡＭに記憶された、この日時の累計待機モード時間を収得し、この日時毎に記憶装置に記憶する（ステップ１８２）。
【００７９】
次に、予め画像形成装置のＮＶ−ＲＡＭに記憶された、この日時の累計省エネモード時間を収得し、この日時毎に記憶装置に記憶する（ステップ１８３）。そして、予め画像形成装置のＮＶ−ＲＡＭに記憶された、この日時の累計復帰時間を収得し、この日時毎に記憶装置に記憶する（ステップ１８４）。
続いて、予め画像形成装置のＮＶ−ＲＡＭに記憶された、コピー動作時間、待機モード時間、省エネモード時間、復帰時間の一連のコピー動作パターンを、一連のコピー動作パターン毎に取得し、この日時毎に記憶装置に記憶し（ステップ１８５）、処理を終了する。
【００８０】
次に、画像形成装置から省エネモード移行時間の見直し指示があった場合に、電力監視装置が見直しを実施する処理手順を図３０及び図３１のフローチャートに示す。
図３０及び図３１のフローチャートは、省エネモード移行時間の見直し確認と、その結果を画像形成装置に送信するフローのみが異なり、それ以外は、図２２と同じである。
先ず初めに、画像形成装置から、省エネモード移行時間の見直し指示があるか否かを確認する（ステップ１９０）。見直し指示がある場合には（ステップ１９０；Ｙ）、図２２のフローと同じ動作を行い、仮想消費電力の算出を行う（ステップ１９１〜ステップ２０８）。
そして、仮想消費電力が現状の消費電力より小さい場合は（ステップ２０９；Ｙ）、累計仮想消費電力を画像形成装置に送信し（ステップ２１０）、画像形成装置に仮省エネモード移行時間を送信し（ステップ２１１）、処理を終了する。
一方、現状の消費電力が小さい場合には（ステップ２０９；Ｎ、ステップ２１２；Ｙ）、現状の省エネモード移行時間が最適である信号を画像形成装置に送信し（ステップ２１３）、処理を終了する。
現状の消費電力が大きい場合には（ステップ２１２；Ｎ）、現状の省エネモード移行時間より長くした場合の消費電力算出フロー（図３１）を実施する。
【００８１】
ステップ２１５〜ステップ２３１の処理を行った後（図２３と同様）、仮想消費電力が現状の消費電力より小さい場合は（ステップ２３２；Ｙ）、累計仮想消費電力を画像形成装置に送信し（ステップ２３３）、次に画像形成装置に仮省エネモード移行時間を送信し（ステップ２３４）、処理を終了する。
一方、現状の消費電力が小さい場合には（ステップ２３２；Ｎ、ステップ２３５；Ｙ）、現状の省エネモード移行時間が最適である信号を画像形成装置に送信し（ステップ２３６）、処理を終了する。現状の消費電力が大きい場合には（ステップ２３５；Ｎ）、図３０のステップ１９０に戻り、処理を繰り返す。
【００８２】
次に、入力された仮省エネモード移行時間により、仮想消費電力を算出する処理手順を図３２のフローチャートを参照して説明する。
先ず初めに、電力監視装置は仮省エネモード移行時間の入力があるか否かを確認する（ステップ２４０）。入力があった場合（ステップ２４０；Ｙ）、入力された仮省エネモード移行時間が、現状の省エネモード移行時間より短いか確認する（ステップ２４１、ステップ２４２）。短い場合には（ステップ２４２；Ｙ）、次に確認した現状の省エネモード移行時間（１５分）内に、コピー動作を実施されているか、対象画像形成装置の使用状況を一定期間監視し記憶したこの使用状況を確認する（ステップ２４３）。
現状の省エネモード移行時間内に実施したコピー動作モードがない場合には（ステップ２４３；Ｎ）、次に累計復帰時間、累計待機モード時間、累計省エネモード時間の生成を行う。この各モードの累計時間を生成し（ステップ２４９）、続いて、累計復帰時間、累計待機モード時間、累計省エネモード時間、コピーモード時間の消費電力算出する（ステップ２５０）。これらの処理は、図２３のフローチャートと同じなので説明は省略する。
【００８３】
次に、この消費電力を累計し、累計仮想消費電力として表示し（ステップ２５１）、累計仮想消費電力を算出した仮省エネモード移行時間を表示する（ステップ２５２）。
続いて、表示した仮省エネモード移行時間が選択されたか否かを確認する（ステップ２５３）。選択された場合には（ステップ２５３；Ｙ）、画像形成装置に省エネモード移行時間を変更する信号を送信する（ステップ２５４）。次に、累計仮想消費電力を画像形成装置に送信し（ステップ２５５）、画像形成装置の移行時間を仮省エネモード移行時間に設定し（ステップ２５６）、処理を終了する。
【００８４】
一方、現状の省エネモード移行時間内に実施したコピー動作モードがある場合には（ステップ２４３；Ｙ）、図２２のフローチャートと同じように、発生回数の累計復帰時間、累計待機モード時間、累計省エネモード時間を生成し（ステップ２４４）、次に上記以外の累計待機モード時間、累計省エネモード時間を生成し（ステップ２４５）、そして、累計復帰時間、累計待機モード時間、累計省エネモード時間、コピーモード時間の消費電力を算出する（ステップ２４６）。その後、この消費電力を累計し、累計仮想消費電力として表示し（ステップ２４７）、累計仮想消費電力を算出した仮省エネモード移行時間を表示する（ステップ２４８）。この後は、上記で説明したステップ２５３〜ステップ２５６の処理を行う。
【００８５】
ステップ２４２で入力された仮省エネモード移行時間が、現状の省エネモード移行時間より長い場合には（ステップ２４２；Ｎ）、省エネモード移行時間を長くした、図３３の消費電力算出フローチャートを実施する。この動作は、図２３のフローチャート及び前記した動作と同じなので、説明は省略する（ステップ２５７〜ステップ２７０）。
なお、本実施例は、省エネモード移行時間を特定の時間、日時により変えることも可能である。
また、本実施例に記載されている省エネモード及び省エネモード移行時間は、画像形成装置の定着温度を下げる、または定着装置への電力供給を停止し、一部の制御回路への電力供給も停止した定電力モード及び、ネットワーク機能またはネットワーク機能と一部の制御回路のみに電力供給したスリープモードを含むこととする。
【００８６】
以上説明したように本実施例によれば、画像形成装置の各動作モード時間を含む動作パターンを一定期間蓄積し、この蓄積した各動作モード時間、動作パターンを基に、現状の消費電力算出を行う。そして、この各動作モード時間の内の、省エネモード移行時間のみ仮設定を行い、この仮設定した省エネモード移行時間により仮想消費電力算出を実行する。その後この現状の一定期間の消費電力と、省エネモード移行時間を仮設定した時の消費電力との比較を行い、消費電力が少ない仮の省エネモード移行時間を省エネモード移行時間に設定することにより、消費電力削減を可能にする。同時に、削減出来る消費電力を可視化し、電力削減を効果的に促すことが可能な画像形成装置の電力監視システムを提供出来る。
【００８７】
上記の説明は、画像形成装置の電力監視システムについて行ったが、本発明は、これに限定されるものでなく、画像形成装置単体でも同様の効果を得ることができる。
図３４から図３６は、本実施例に係る画像形成装置が各モードの動作時間を生成するフローチャートである。
基本的には、図１６から図１８に示した処理と同一だが、相違しているところのみ、ここで説明する。
ステップ２８０からステップ２８３は、ステップ１３からステップ１５と同一であり、その後、コピーの搬出があった場合（ステップ２８４；Ｙ）、コピー排出カウンターを１加算する（ステップ２８５）。ステップ２８６からステップ２９０は、ステップ２１からステップ２５に該当する。また、図３５のステップ２９１からステップ２９３は、ステップ２６からステップ２８に該当し、ステップ２９４からステップ２９７は、ステップ３４からステップ３７に該当する。
さらに、図３６のステップ２９８からステップ３０１は、ステップ３８からステップ４１に該当する。
そして、省エネモード中でない場合には（ステップ２９８；Ｎ）、省エネモード中フラグがセットされているか確認する（ステップ３０１）。省エネモード中フラグがセットされていた場合には（ステップ３０１；Ｙ）、省エネモード中フラグをリセットし（ステップ３０２）、コピー動作カウンターに対応した省エネモード時間を記憶する（ステップ３０３）。そして、省エネモード時間を計測タイマーをクリアーして（ステップ３０４）、処理を終了する。
【００８８】
省エネモード中フラグがセットされて無い場合には（ステップ３０１；Ｎ）、省エネモードから復帰中か確認する（ステップ３０５）。復帰中の場合には（ステップ３０５；Ｙ）、復帰中フラグをセットし（ステップ３０６）、復帰時間カウンターにカウント１を加算し（ステップ３０７）、処理を終了する。
一方、省エネモードから復帰中でない場合には（ステップ３０５；Ｎ）、復帰中フラグがセットされているか確認する（ステップ３０８）。復帰中フラグがセットされていた場合には（ステップ３０８；Ｙ）、省エネモード復帰回数カウントにカウント１を加算し（ステップ３０９）、復帰中フラグをリセットする（ステップ３１０）。次に、コピー動作カウンターに対応した復帰時間を記憶し（ステップ３１１）、復帰時間を計測タイマーをクリアーして（ステップ３１２）、処理を終了する。
この実施例では、この処理をコピー動作毎に行い、各モードの動作時間はコピー動作カウンターに対応して記憶される。コピー動作カウンターが１の場合には、一回目の一連の動作時間が記憶される。
【００８９】
この実施例では、画像形成装置の各動作モード時間を含む動作パターンを一定期間蓄積し、この蓄積した各動作モード時間、動作パターンを基に、現状の消費電力算出を行い、この各動作モード時間内の、省エネモード移行時間のみ仮設定を行い、この仮設定した省エネモード移行時間により仮想消費電力算出を行う。この現状の一定期間の消費電力と、省エネモード移行時間を仮設定した時の消費電力との比較を行い、消費電力が少ない仮の省エネモード移行時間を省エネモード移行時間に設定することにより、画像形成装置の消費電力削減を可能にすると共に、削減出来る消費電力を可視化し、電力削減を効果的に促すことが可能な画像形成装置を提供出来る。
【図面の簡単な説明】
【００９０】
【図１】本実施例に係る社内ＬＡＮを使用した電力監視システムの概略を説明した図である。
【図２】インターネットを使用した電力監視システム例を説明した図である。
【図３】本実施例に係る画像形成装置の回路構成を示した図である。
【図４】画像形装置の動作パターンの例を示した図である。
【図５】省エネモード移行時間を変えて生成されたコピーパターンの例を示した図である。電力監視システムの電力監視装置の表示例である。図４は、コピー動作パターンの例である。
【図６】省エネモードへの移行時間（１５分）をより短くした（１分）時の電力計算方法を説明する図である。
【図７】省エネモードへの移行時間（１５分）内に次のコピー動作が発生した例を示した図である。
【図８】コピー動作の省エネモードへの移行時間を１分にした例を説明した図である。
【図９】省エネモードへの移行時間を１分から１５分にした場合の消費電力の算出を説明する図である。
【図１０】省エネモードへの移行時間を１分から１５分にした場合の消費電力の算出を説明する図である。
【図１１】電力監視装置の表示及び入力画面の例を示した図である。
【図１２】現状の省エネモード移行時間を変更する画面の例を示した図である。
【図１３】消費電力をシミュレーションする画面の例を示した図である。
【図１４】使いやすさ優先または電力削減優先を選択する入力画面の例である。
【図１５】消費電力の電気料金表示の例を示した図である。
【図１６】電力監視装置が画像形成装置からコピー動作の情報取得を行い、各動作モード時間を生成するフローチャートである。
【図１７】電力監視装置が画像形成装置からコピー動作の情報取得を行い、各動作モード時間を生成するフローチャートである。
【図１８】電力監視装置が画像形成装置からコピー動作の情報取得を行い、各動作モード時間を生成するフローチャートである。
【図１９】復帰時間を計測するタイマー制御フローチャトである。
【図２０】電力監視装置が画像形成装置からの情報を基に現状の消費電力を算出するフローチャートである。
【図２１】電力監視装置が画像形成装置からの情報を基に現状の消費電力を算出するフローチャートである。
【図２２】特定間隔で省エネモードの移行時間を見直すフローチャートである。
【図２３】現状の省エネモード移行時間より長くした場合の消費電力を算出するフローチャートである。
【図２４】算出した一定期間の消費電力、電気料金を表示するフローチャートである。
【図２５】省エネモード移行時間を再設定した場合の削減電力を検証するフローチャートである。
【図２６】電力監視装置から送信される消費電力及び省エネモード移行時間を画像形成装置が表示するフローチャートである。
【図２７】画像形成装置から電力監視装置に省エネモード移行時間の見直し指示を行うフローチャートである。
【図２８】省エネモード移行時間を入力するフローチャートである。
【図２９】一定期間、画像形成装置に累積された動作モード時間とその動作モードパターンを取得し、電力監視装置側に記憶するフローチャートである。
【図３０】画像形成装置から、省エネモード移行時間の見直し指示があった場合に電力監視装置が実施するフローチーャートである。
【図３１】画像形成装置から、省エネモード移行時間の見直し指示があった場合に電力監視装置が実施するフローチーャートである。
【図３２】入力された仮省エネモード移行時間により、仮想消費電力を算出するフローチャートである。
【図３３】入力された仮省エネモード移行時間により、仮想消費電力を算出するフローチャートである。
【図３４】画像形成装置が各モードの動作時間を生成するフローチャートである。
【図３５】画像形成装置が各モードの動作時間を生成するフローチャートである。
【図３６】画像形成装置が各モードの動作時間を生成するフローチャートである。
【符号の説明】
【００９１】
１０３〜１０５  画像形成装置
１０８  監視装置
１０９  パソコン
１１０  画像形成装置
１１１  画像形成装置
１１３  照明設備制御装置
１１５  入退出管理システム
１１６  外部モニター
１１７  居室
１１８  居室
２０３〜２０５  画像形成装置
２０６  スキャナー
２０８  監視装置
２０９  パソコン
２１０  画像形成装置
２１１  画像形成装置
２１３  照明設備制御装置
２１５  入退出管理システム
２１６  外部モニター
２１７  ネットワークシステム
２１８  ネットワークシステ
３００  カラー原稿読取ユニット
５０１  コントローラボード
５０２  操作部制御ボード
５０４  ワークメモリー
５０５  ＬＡＮインターフェースボード
５０６  コントローラユニット
５０７  フレームメモリー
５０９  ＡＤＦセンサ
５１０  エンジン制御ボード
５１２  書き込み制御用ボード
５１４  ＬＤドライバ
５１６  同期検知センサ
５１９  ＡＣ制御回路
５２２  圧板センサ
【図１】
0004787573.tif 000002
【図２】
0004787573.tif 000003
【図３】
0004787573.tif 000004
【図４】
0004787573.tif 000005
【図５】
0004787573.tif 000006
【図６】
0004787573.tif 000007
【図７】
0004787573.tif 000008
【図８】
0004787573.tif 000009
【図９】
0004787573.tif 000010
【図１０】
0004787573.tif 000011
【図１１】
0004787573.tif 000012
【図１２】
0004787573.tif 000013
【図１３】
0004787573.tif 000014
【図１４】
0004787573.tif 000015
【図１５】
0004787573.tif 000016
【図１６】
0004787573.tif 000017
【図１７】
0004787573.tif 000018
【図１８】
0004787573.tif 000019
【図１９】
0004787573.tif 000020
【図２０】
0004787573.tif 000021
【図２１】
0004787573.tif 000022
【図２２】
0004787573.tif 000023
【図２３】
0004787573.tif 000024
【図２４】
0004787573.tif 000025
【図２５】
0004787573.tif 000026
【図２６】
0004787573.tif 000027
【図２７】
0004787573.tif 000028
【図２８】
0004787573.tif 000029
【図２９】
0004787573.tif 000030
【図３０】
0004787573.tif 000031
【図３１】
0004787573.tif 000032
【図３２】
0004787573.tif 000033
【図３３】
0004787573.tif 000034
【図３４】
0004787573.tif 000035
【図３５】
0004787573.tif 000036
【図３６】
0004787573.tif 000037